(57)【要約】【課題】  収納時に、被収納体の位置合わせが容易で、収納しやすい収納容器を提供する。【解決手段】  収納容器１は、第１の平板３、第２の平板４、第１の側板７、第２の側板８及び背板１６よりなる収納本体と、その内部のガイド板１２とから構成される。ガイド板１２の背板１６側には突起部１４が形成されており、第１の側板７及び第２の側板８の内方面上には、突起部１４の移動範囲を限定するために、第１のストッパー９及び第２のストッパー１０がそれぞれ取り付けられている。被収納体２０を挿入する際は、まず、ガイド板１２を第２の平板４に沿って外方に引き出し、次に、その外方部分に被収納体２０の底面２２を接するように配置し、そして、被収納体２０を押し込んで収納する。このように、ガイド板１２によって、収納容器１の第２の平板４に対する被収納体２０の下面２２の位置が規定されるため、収納が容易となる。【選択図】      図１
2004307060.tif 000002
【特許請求の範囲】
【請求項１】
被収納体を外方から内方に移動させて収納するための収納容器であって、
対向する面の少なくとも一面が開放された直方体箱形形状を有する収納本体と、
前記収納本体を構成する平板であって、前記一面に隣接して対向する一対の平板の一方の内方面に少なくともその一部が接した状態で、前記収納本体の内方に格納された状態から外方に出し入れ自在の平板形状のガイド板とを備えた、収納容器。
【請求項２】
前記ガイド板は、前記平板の各々に直交する方向に前記平板の他方の内方面に接する位置まで平行に移動自在である、請求項１記載の収納容器。
【請求項３】
前記ガイド板の、前記平板の各々に直交する方向への移動を阻止する移動阻止手段を更に備えた、請求項１記載の収納容器。
【請求項４】
被収納体を外方から内方に移動させて収納するための収納容器であって、
対向する面の少なくとも一面が開放された直方体箱形形状を有する収納本体と、
前記収納本体を構成する平板であって、前記一面に隣接して対向する一対の平板の一方の内方面にその一方部が接すると共にその他方部が外方に位置した状態と、前記平板の他方の内方面に前記一方部が接すると共に前記他方部が外方に位置した状態との間で、前記平板の各々に直交する方向に移動自在な平板形状のガイド板とを備えた、収納容器。
【請求項５】
前記ガイド板は、前記収納本体の内方へ格納される位置まで移動自在である、請求項４記載の収納容器。
【請求項６】
前記ガイド板の、前記収納本体の内方への移動を阻止する移動阻止手段を更に備えた、請求項４記載の収納容器。
【請求項７】
前記ガイド板は、前記他方部の少なくとも先端が前記収納本体の前記平板の各々の内方面を含む平面の間に挟まれた空間より外方の位置になるように、自在に傾斜することができる、請求項４又は請求項６記載の収納容器。
【請求項８】
被収納体を外方から内方に移動させて収納するための収納容器であって、
対向する面の少なくとも一面が開放された直方体箱形形状を有する収納本体と、
前記収納本体を構成する平板であって、前記一面に隣接して対向する平板の内方面にその一方部が沿うと共にその他方部が外方に位置した状態で配置された平板形状のガイド板とからなり、
前記ガイド板は、少なくともその先端が、前記ガイド板が配置された前記平板の内方面を含む平面より外方の位置になるように自在に傾斜することができる、収納容器。
【請求項９】
前記ガイド板は、前記対向する平板の各々に対して配置され、
前記ガイド板の各々の、前記平板の各々に直交する方向への移動を阻止する移動阻止手段を更に備えた、請求項８記載の収納容器。
【請求項１０】
前記平板は、前記一面を構成する辺がその両端部を除いて前記内方に向かって切欠かれると共に、前記切欠かれた部分の少なくとも一部が前記ガイド板の一部に重なり合い、
前記両端部が前記ガイド板の傾斜の支点を構成する、請求項９記載の収納容器。
【請求項１１】
前記ガイド板は、その一方面が含まれる平面内において、前記内方の第１の位置から前記外方の第２の位置にスライド自在となるように取り付けられ、前記第１の位置にある時、その重心位置が傾斜の支点より前記内方の位置となり、前記第２の位置にある時、その重心位置が前記支点より前記外方の位置となる、請求項９記載の収納容器。
【請求項１２】
被収納体を外方から内方に移動させて収納するための収納容器であって、
対向する面の少なくとも一面が開放された直方体箱形形状を有する収納本体と、
前記一面に隣接して対向する一対の平板の少なくとも一方の平板における前記一面を構成する辺に前記平板と同一平面上となるように接続され、少なくともその一部が前記一方の平板の内方面を含む平面より外方の位置になるように自在に傾斜することができるガイド板を備えた、収納容器。
【請求項１３】
被収納体を外方から内方に移動させて収納するための収納容器であって、
対向する面の少なくとも一面が開放された直方体箱形形状を有する収納本体からなり、
前記一面に隣接して対向する一対の平板の少なくとも一方は、その外方面が前記一面を構成する辺の両端を始点、終点とする線分で二つの領域に区画されていると共に、前記線分の位置の少なくとも一部が前記外方面から見て谷折り状態になるように折り曲げ自在に構成される、収納容器。
【請求項１４】
前記線分は、ほぼ円弧状となるように構成された、請求項１３記載の収納容器。
【請求項１５】
前記平板の前記一面を構成する辺から前記外方へとその長さが延長されるように前記平板に接続される延長片を更に備えた、請求項１３又は請求項１４記載の収納容器。
【請求項１６】
前記線分のうち前記一面を構成する辺から最も離れた特定部分と両端部分とが前記谷折り状態となるように構成され、前記特定部分と前記両端部分とを除いた前記線分の位置にスリットが形成される、請求項１３から請求項１５のいずれかに記載の収納容器。
【請求項１７】
被収納体を外方から内方に移動させて収納するための収納容器であって、
対向する面の少なくとも一面が開放された直方体箱形形状を有する収納本体と、
その一部が直線状の棒形状を有し、前記一面の前記外方であって、前記一面に隣接して対向する平板における前記一面を構成する辺の各々に対してその軸方向が平行となるように配置され、前記平板の内方面を含む平面に外方から沿う位置の各々に移動自在なガイド手段とを備えた、収納容器。
【請求項１８】
前記ガイド手段は、一対の水平部と前記水平部の各々に接続される垂直部からなるコ字形状に形成された棒体よりなり、
前記水平部の各々の端部を含む一部は、前記一面に隣接して対向する他の平板の内方面に沿うように配置されると共に、前記端部が前記他の平板の前記内方面に垂直な方向を軸中心として回動自在となるように前記他の平板に支持され、
前記水平部の各々の他の一部と前記垂直部とは、前記一面の前記外方に位置する、請求項１７記載の収納容器。
【請求項１９】
被収納体を外方から内方に移動させて収納するための収納容器であって、
対向する面の少なくとも一面が開放された直方体箱形形状を有する収納本体からなり、
前記一面に隣接して対向する一対の平板の少なくとも一方には、少なくとも一つの開口が形成され、前記開口の近傍が内方側に撓んだ状態となるように撓み自在に構成された、収納容器。
【請求項２０】
前記平板の少なくとも一方には、前記一面を構成する辺の両端を始点、終点として前記一面より内方側に凹んだ円弧状に連続するように、前記開口が複数形成された、請求項１９記載の収納容器。
【請求項２１】
前記平板の少なくとも一方は、前記一面を構成する辺の両端を始点、終点とし前記開口に接続する線分と前記開口とで二つの領域に区画されると共に、前記線分の少なくとも一部が前記外方面から見て谷折り状態になるように折り曲げ自在に構成される、請求項１９または請求項２０記載の収納容器。
【請求項２２】
被収納体を外方から内方に移動させて収納するための収納容器であって、
対向する面の少なくとも一面が開放された直方体箱形形状を有する収納本体と、
前記一面に隣接して対向する一対の平板の各々に、前記一面を構成する辺から外方へとその長さが延長されるように接続された延長片とからなり、
前記平板と前記延長片とで構成される平面の少なくとも一方が、前記一面と平行な面と交差する前記延長片の両端縁上の点を始点、終点とし、その少なくとも一部が前記一面より前記内方側に配置される線分により二つの領域に区画され、前記線分の前記少なくとも一部が前記外方面から見て谷折り状態になるように折り曲げ自在に構成された、収納容器。
【請求項２３】
被収納体を外方から内方に移動させて収納するための収納容器であって、
対向する面の少なくとも一面が開放された直方体箱形形状を有する収納本体からなり、
前記一面に隣接して対向する一対の平板の少なくとも一方は、前記一面を構成する辺の中で両端を除く位置を始点、終点とする線分でその外方面が二つの領域に区画されていると共に、前記線分の位置の少なくとも一部が前記外方面から見て谷折り状態になるように折り曲げ自在に構成される、収納容器。
【請求項２４】
被収納体を外方から内方に移動させて収納するための収納容器であって、
対向する面の少なくとも一面が開放された直方体箱形形状を有する収納本体と、
前記一面に隣接して対向する一対の平板の少なくとも一方に形成され、前記一面を構成する辺の少なくとも一部を含む切欠と、
前記平板の各々と直交する方向における前記切欠の射影とその一部とが重なり合うと共に、前記平板の一方の内方面にその一方面の少なくとも一部が接した状態と、前記平板の他方の内方面にその他方面の少なくとも一部が接した状態との間で、前記平板の各々と直交する方向に移動自在なガイド板とを備えた、収納容器。
【発明の詳細な説明】
【技術分野】
【０００１】
この発明は、収納容器に関し、特に被収納体を外方から内方に移動して収納するための直方体箱形形状の収納容器に関するものである。
【背景技術】
【０００２】
図１１は、従来の収納容器の使用状態を示した斜視図である。
【０００３】
図を参照して、収納容器５１は、紙や合成樹脂の薄板等で形成された直方体箱形形状であり、内部に直方体形状の被収納体２０を収納するために使用される。
【０００４】
収納容器５１は、対向する第１の平板５３及び第２の平板５４と、対向する第１の側板５７及び第２の側板５８と、背板５９とから構成されている。背板５９と対向する面は開放されており、開口部５６が形成されている。尚、第１の平板５３及び第２の平板５４の開口部５６に隣接する辺の所定部分に切欠５５ａ及び５５ｂが形成されているが、これは、被収納体２０が収納容器５１に完全に格納された状態から被収納体２０を取り出す際に、被収納体２０の一部を容易に掴むことができるように形成されているものである。
【０００５】
ここで、従来の収納容器５１に被収納体２０を収納する方法について説明する。収納容器５１に被収納体２０の背面２６側から挿入して格納する場合は、まず図に示すように、被収納体２０をその背面２６と収納容器５１の開口部５６とが向かい合うように配置し、被収納体２０の背面２６を矢印の方向に進行させる。次に、被収納体２０の背面２６が収納容器５１の開口部５６に接近したとき、被収納体２０を収納容器５１の内部に挿入できるように、それぞれの位置関係を調整する。すなわち、背板５９から開口部５６に向かう収納容器５１の中心軸の延長線上に被収納体２０を配置する。この位置関係を保持しつつ、更に被収納体２０を矢印の方向に移動すると、被収納体２０の背面２６が収納容器５１の内部に進入する。この後、更に被収納体２０を矢印方向へ進行させ、被収納体２０の背面２６が収納容器５１の背板５９の内面に当接した時点で、完全に収納された状態となる。
【発明の開示】
【発明が解決しようとする課題】
【０００６】
上記のような収納容器では、被収納体の収納時に、収納容器の開口部に対して被収納体の上下及び左右の二方向の位置を調節する必要がある。特に、被収納体の最初の被挿入部分の寸法に対して、収納容器の開口部の寸法が僅かしか大きくない場合は、より厳密な位置調整が必要となり、被収納体を迅速かつスムーズに収納することが困難な場合がある。
【０００７】
この発明は、上記のような課題を解決するためになされたものであり、被収納体の最初の被挿入部分の寸法に対して収納容器の開口部の寸法に余裕がない場合でも、被収納体の位置合わせが容易で、収納しやすい収納容器を提供することを目的とする。
【課題を解決するための手段】
【０００８】
上記の目的を達成するために、請求項１記載の発明は、被収納体を外方から内方に移動させて収納するための収納容器であって、対向する面の少なくとも一面が開放された直方体箱形形状を有する収納本体と、収納本体を構成する平板であって、一面に隣接して対向する一対の平板の一方の内方面に少なくともその一部が接した状態で、収納本体の内方に格納された状態から外方に出し入れ自在の平板形状のガイド板とを備えたものである。
【０００９】
このように構成すると、ガイド板が収納本体の内方面に接した状態で、収納本体の内方と外方とを結ぶ方向に、自在に移動することができる。
【００１０】
請求項２記載の発明は、請求項１記載の発明の構成において、ガイド板は、平板の各々に直交する方向に平板の他方の内方面に接する位置まで平行に移動自在であるものである。
【００１１】
このように構成すると、ガイド板は、収納本体の内方と外方とを結ぶ方向に加えて、収納容器の平板の各々に直交する方向に移動して、対向する一対の平板のいずれの内方面にも平行に接することができる。
【００１２】
請求項３記載の発明は、請求項１記載の発明の構成において、ガイド板の、平板の各々に直交する方向への移動を阻止する移動阻止手段を更に備えたものである。
【００１３】
このように構成すると、ガイド板は、収納本体の内方と外方とを結ぶ方向にのみ、自在に移動することができる。
【００１４】
請求項４記載の発明は、被収納体を外方から内方に移動させて収納するための収納容器であって、対向する面の少なくとも一面が開放された直方体箱形形状を有する収納本体と、収納本体を構成する平板であって、一面に隣接して対向する一対の平板の一方の内方面にその一部が接すると共にその他方部が外方に位置した状態と、平板の他方の内方面に一部が接すると共に他方部が外方に位置した状態との間で、平板の各々に直交する方向に移動自在な平板形状のガイド板とを備えたものである。
【００１５】
このように構成すると、ガイド板は、その他方部が外方に突出した状態で、収納容器の平板の各々に直交する方向に移動して、対向する一対の平板のいずれの内方面にも平行に接することができる。
【００１６】
請求項５記載の発明は、請求項４記載の発明の構成において、ガイド板は、収納本体の内方へ格納される位置まで移動自在であるものである。
【００１７】
このように構成すると、ガイド板は、収納本体の平板の各々に直交する方向に加えて、収納容器の内方と外方とを結ぶ方向にも自在に移動することができる。
【００１８】
請求項６記載の発明は、請求項４記載の発明の構成において、ガイド板の、収納本体の内方への移動を阻止する移動阻止手段を更に備えたものである。
【００１９】
このように構成すると、ガイド板は、常にその一部が収納容器の外方に突出した状態で、対向する一対の平板に直交する方向にのみ、自在に移動することができる。
【００２０】
請求項７記載の発明は、請求項４又は請求項６記載の発明の構成において、ガイド板は、他方部の少なくとも先端が収納本体の平板の各々の内方面を含む平面の間に挟まれた空間より外方の位置になるように、自在に傾斜することができるものである。
【００２１】
このように構成すると、収納本体の開放された面を正面方向から見たときの対向する一対の平板方向の許容範囲が拡大する。
【００２２】
請求項８記載の発明は、被収納体を外方から内方に移動させて収納するための収納容器であって、対向する面の少なくとも一面が開放された直方体箱形形状を有する収納本体と、収納本体を構成する平板であって、一面に隣接して対向する平板の内方面にその一方部が沿うと共にその他方部が外方に位置した状態で配置された平板形状のガイド板とからなり、ガイド板は、少なくともその先端が、ガイド板が配置された平板の内方面を含む平面より外方の位置になるように自在に傾斜することができるものである。
【００２３】
このように構成すると、収納本体の開放された面を正面方向から見たときの対向する一対の平板方向の許容範囲が拡大する。
【００２４】
請求項９記載の発明は、請求項８記載の発明の構成において、ガイド板は、対向する平板の各々に対して配置され、ガイド板の各々の、平板の各々に直交する方向への移動を阻止する移動阻止手段を更に備えたものである。
【００２５】
このように構成すると、２枚のガイド板により、収納本体の開放された面を正面方向から見たときの対向する一対の平板方向の許容範囲が更に拡大すると共に、この状態が維持される。
【００２６】
請求項１０記載の発明は、請求項９記載の発明の構成において、平板は、一面を構成する辺がその両端部を除いて内方に向かって切欠かれると共に、切欠かれた部分の少なくとも一部がガイド板の一部に重なり合い、両端部がガイド板の傾斜の支点を構成するものである。
【００２７】
このように構成すると、平板の切欠部分とガイド板とが重なり合う部分が内面側に移動すると、ガイド板は、平板における開放された面を構成する一辺の両端部を支点として傾斜する。
【００２８】
請求項１１記載の発明は、請求項９記載の発明の構成において、ガイド板は、その一方面が含まれる平面内において、内方の第１の位置から外方の第２の位置にスライド自在となるように取り付けられ、第１の位置にある時、その重心位置が傾斜の支点より内方の位置となり、第２の位置にある時、その重心位置が支点より外方の位置となるものである。
【００２９】
このように構成すると、一対の平板がほぼ水平となるように収納容器を配置すると、上方のガイド板は第１の位置にある時に傾斜し、下方のガイド板は第２の位置にある時に傾斜する。
【００３０】
請求項１２記載の発明は、被収納体を外方から内方に移動させて収納するための収納容器であって、対向する面の少なくとも一面が開放された直方体箱形形状を有する収納本体と、一面に隣接して対向する一対の平板の少なくとも一方の平板における一面を構成する辺に平板と同一平面上となるように接続され、少なくともその一部が一方の平板の内方面を含む平面より外方の位置になるように自在に傾斜することができるガイド板を備えたものである。
【００３１】
このように構成すると、収納本体の開放された面を正面方向から見たときの対向する一対の平板方向の許容範囲が拡大すると共に、この状態が維持される。
【００３２】
請求項１３記載の発明は、被収納体を外方から内方に移動させて収納するための収納容器であって、対向する面の少なくとも一面が開放された直方体箱形形状を有する収納本体からなり、一面に隣接して対向する一対の平板の少なくとも一方は、その外方面が一面を構成する辺の両端を始点、終点とする線分で二つの領域に区画されていると共に、線分の位置の少なくとも一部が外方面から見て谷折り状態になるように折り曲げ自在に構成されるものである。
【００３３】
このように構成すると、平板の開放された一面から離れた領域が内面側に移動すると、線分の両端を支点として平板の開放された一面に接する領域が谷折り状態となって、収納本体の開放された面を正面方向から見たときの対向する一対の平板方向の許容範囲が拡大すると共に、この状態が維持される。
【００３４】
請求項１４記載の発明は、請求項１３記載の発明の構成において、線分は、ほぼ円弧状となるように構成されたものである。
【００３５】
このように構成すると、平板の谷折り状態による線分部分の変形が容易となる。
【００３６】
請求項１５記載の発明は、請求項１３又は請求項１４記載の発明の構成において、平板の一面を構成する辺から外方へとその長さが延長されるように平板に接続される延長片を更に備えたものである。
【００３７】
このように構成すると、延長片によって、収納本体の開放された面を正面方向から見たときの対向する一対の平板方向の許容範囲が更に拡大する。
【００３８】
請求項１６記載の発明は、請求項１３から請求項１５のいずれかに記載の発明の構成において、線分のうち一面を構成する辺から最も離れた特定部分と両端部分とが谷折り状態となるように構成され、特定部分と両端部分とを除いた線分の位置にスリットが形成されるものである。
【００３９】
このように構成すると、平板の谷折り状態時における線分部分の変形がスリットによって容易となる。
【００４０】
請求項１７記載の発明は、被収納体を外方から内方に移動させて収納するための収納容器であって、対向する面の少なくとも一面が開放された直方体箱形形状を有する収納本体と、その一部が直線状の棒形状を有し、一面の外方であって、一面に隣接して対向する平板における一面を構成する辺の各々に対してその軸方向が平行となるように配置され、平板の内方面を含む平面に外方から沿う位置の各々に移動自在なガイド手段とを備えたものである。
【００４１】
このように構成すると、ガイド手段の棒形状部分は、被収納体の外方において、対向する平板の内方面を含む平面に沿った位置に移動する。
【００４２】
請求項１８記載の発明は、請求項１７記載の発明の構成において、ガイド手段は、一対の水平部と水平部の各々に接続される垂直部からなるコ字形状に形成された棒体よりなり、水平部の各々の端部を含む一部は、一面に隣接して対向する他の平板の内方面に沿うように配置されると共に、端部が他の平板の内方面に垂直な方向を軸中心として回動自在となるように他の平板に支持され、水平部の各々の他の一部と垂直部とは、一面の外方に位置するものである。
【００４３】
このように構成すると、ガイド手段の移動範囲は、収納本体の開放された面により規定される。
【００４４】
請求項１９記載の発明は、被収納体を外方から内方に移動させて収納するための収納容器であって、対向する面の少なくとも一面が開放された直方体箱形形状を有する収納本体からなり、一面に隣接して対向する一対の平板の少なくとも一方には、少なくとも一つの開口が形成され、開口の近傍が内方側に撓んだ状態となるように撓み自在に構成されたものである。
【００４５】
このように構成すると、開口近傍の内方側への撓みに伴って、開口より外方側の少なくとも一部が開放面を構成する辺の両端部分を支点として平板の外方面側に移動し、一対の平板に直交する方向の開放面の許容範囲が拡大する。
【００４６】
請求項２０記載の発明は、請求項１９記載の発明の構成において、平板の少なくとも一方には、一面を構成する辺の両端を始点、終点として一面より内方側に凹んだ円弧状に連続するように、開口が複数形成されたものである。
【００４７】
このように構成すると、平板における一連の開口より外方側の部分全体が変形する。
【００４８】
請求項２１記載の発明は、請求項１９または請求項２０記載の発明の構成において、平板の少なくとも一方は、一面を構成する辺の両端を始点、終点とし前記開口に接続する線分と前記開口とで二つの領域に区画されると共に、線分の少なくとも一部が外方面から見て谷折り状態になるように折り曲げ自在に構成されたものである。
【００４９】
このように構成すると、開口近傍の内方側への変形が更に容易となる。
【００５０】
請求項２２記載の発明は、被収納体を外方から内方に移動させて収納するための収納容器であって、対向する面の少なくとも一面が開放された直方体箱形形状を有する収納本体と、一面に隣接して対向する一対の平板の各々に、一面を構成する辺から外方へとその長さが延長されるように接続された延長片とからなり、平板と延長片とで構成される平面の少なくとも一方が、一面と平行な面と交差する延長片の両端縁上の点を始点、終点とし、その少なくとも一部が一面より内方側に配置される線分により二つの領域に区画され、線分の少なくとも一部が外方面から見て谷折り状態になるように折り曲げ自在に構成されたものである。
【００５１】
このように構成すると、線分近傍の内方面側への移動に伴って、線分の始点及び終点の部分を支点として延長片同志の間隔が拡大する。
【００５２】
請求項２３記載の発明は、被収納体を外方から内方に移動させて収納するための収納容器であって、対向する面の少なくとも一面が開放された直方体箱形形状を有する収納本体からなり、一面に隣接して対向する一対の平板の少なくとも一方は、一面を構成する辺の中で両端を除く位置を始点、終点とする線分でその外方面が二つの領域に区画されていると共に、線分の位置の少なくとも一部が外方面から見て谷折り状態になるように折り曲げ自在に構成されるものである。
【００５３】
このように構成すると、線分近傍の内方面側への移動に伴って、開放面を構成する辺であって始点と終点とで挟まれた部分の平板に直交する方向の間隔が拡大する。
【００５４】
請求項２４記載の発明は、被収納体を外方から内方に移動させて収納するための収納容器であって、対向する面の少なくとも一面が開放された直方体箱形形状を有する収納本体と、一面に隣接して対向する一対の平板の少なくとも一方に形成され、一面を構成する辺の少なくとも一部を含む切欠と、平板の各々と直交する方向における切欠の射影とその一部とが重なり合うと共に、平板の一方の内方面にその一方面の少なくとも一部が接した状態と、平板の他方の内方面にその他方面の少なくとも一部が接した状態との間で、平板の各々と直交する方向に移動自在なガイド板とを備えたものである。
【００５５】
このように構成すると、被収納体の一部を平板に直交する方向から切欠内部を通過するように移動させてガイド板に当接させると、平板の一方に対する被収納体の収納位置が規定される。
【発明の効果】
【００５６】
以上説明したように、請求項１記載の発明は、被収納体の収納時にガイド板を外方に引き出して、被収納体の一面を接するように配置することにより、収納容器の開口部に対して少なくとも一方向の被収納体の基準位置が規定されるため、収納が容易となる。また、ガイド板が被収納体と共に収納容器内部に格納できるため、収納時の状態がすっきりする。
【００５７】
請求項２記載の発明は、請求項１記載の発明の効果に加えて、ガイド板は移動して、いずれの平板の内方面にも平行に接することができ、いずれの平板も収納の基準となるため、使い勝手が良い。
【００５８】
請求項３記載の発明は、請求項１記載の発明の効果に加えて、ガイド板は一方の内方面から他方の内方面への移動が阻止されるため、被収納体の配置を規定するための構造を、更にガイド板上に形成することが可能となる。
【００５９】
請求項４記載の発明は、ガイド板の他方部に被収納体の一面を接するように配置することにより、収納容器の開口部に対して少なくとも一方向の被収納体の基準位置が規定されるため、収納が容易となる。また、ガイド板はいずれの平板の内方面にも平行に接することができ、いずれの平板も収納の基準となるため、使い勝手が良い。
【００６０】
請求項５記載の発明は、請求項４記載の発明の効果に加えて、ガイド板を、収納容器の内方と外方とを結ぶ方向にも移動させて、被収納体と共に収納容器内部に格納できるため、収納時の状態がすっきりする。
【００６１】
請求項６記載の発明は、請求項４記載の発明の効果に加えて、収納容器の配置方向に関わらず、ガイド板の他方部が常に収納容器の外方に配置されているため、被収納体の一面を即座にガイド板に接することができ、収納がより迅速になる。
【００６２】
請求項７記載の発明は、請求項４又は請求項６記載の発明の効果に加えて、対向する一対の平板方向の許容範囲が拡大するため、収納時の位置合わせがより容易となり、更に収納しやすくなる。
【００６３】
請求項８記載の発明は、対向する一対の平板方向の許容範囲が拡大するため、収納時の位置合わせが容易となり、収納がしやすくなる。また、収納に伴ってガイド板が被収納体に沿うため、収納時の状態がすっきりする。
【００６４】
請求項９記載の発明は、請求項８記載の発明の効果に加えて、２枚のガイド板により対向する一対の平板方向の許容範囲が更に拡大し、その状態が維持されるため、収納時の位置合わせがより容易となり、更に収納しやすくなる。
【００６５】
請求項１０記載の発明は、請求項９記載の発明の効果に加えて、平板の切欠部分とガイド板とが重なり合う部分を押し下げることによってガイド板が傾斜するため、収納時に押し下げ操作によって対向する一対の平板方向の許容範囲を大きくすることが可能となり、使い勝手が良い。
【００６６】
請求項１１記載の発明は、請求項９記載の発明の効果に加えて、ガイド板の重心の位置を移動するように収納容器を操作して水平に保持すると、両方のガイド板は、自動的にその各々の先端が一対の平板の内方面を含む平面で挟まれる空間より外方に位置するように傾斜するため、迅速な収納操作を行うことが可能となる。
【００６７】
請求項１２記載の発明は、対向する一対の平板方向の許容範囲が拡大し、その状態が維持されるため、収納時の位置合わせが容易となり、収納しやすくなる。また、ガイド板は平板と同一平面となるように接続されているため、見た目がすっきりする。
【００６８】
請求項１３記載の発明は、収納時に平板の開放された一面から離れた領域を押し下げることによって、対向する一対の平板方向の許容範囲が拡大するため、収納時の位置合わせが容易となり、収納しやすくなる。
【００６９】
請求項１４記載の発明は、請求項１３記載の発明の効果に加えて、平板の谷折り状態による線分部分の変形が容易となるため、平板の開放された面に接する領域の変形がスムーズに且つ大きくなり、収納操作がしやすくなる。
【００７０】
請求項１５記載の発明は、請求項１３又は請求項１４記載の発明の効果に加えて、延長片によって、対向する一対の平板方向の実質的な許容範囲が更に拡大するため、収納時の位置合わせがより容易となり、更に収納しやすくなる。
【００７１】
請求項１６記載の発明は、請求項１３から請求項１５のいずれかに記載の発明の効果に加えて、平板の谷折り状態による線分部分の変形がスリットによって容易となるため、平板の開放された面に接する領域の変形がスムーズに且つ大きくなり、収納操作がしやすくなる。
【００７２】
請求項１７記載の発明は、ガイド手段の棒状体は、対向する平板の内方面を含む平面に沿った位置に移動して平板の内方面を含む平面のおよその位置を規定するため、ガイド手段に被収納体を載置するようにすると、開放された面に対する被収納体の位置合わせが容易となり、迅速な収納が可能となる。
【００７３】
請求項１８記載の発明は、請求項１７記載の発明の効果に加えて、ガイド手段の移動範囲は収納本体の開放された面により規定されるため、ガイド手段の移動を限定する他の手段を設ける必要がなく、収納容器の構成をシンプルにすることが可能となる。
【００７４】
請求項１９記載の発明は、開口近傍の内方側への撓みに伴って、一対の平板に直交する方向の開放面の許容範囲が拡大するため、被収納体の位置合わせが容易となり収納操作がしやすくなる。
【００７５】
請求項２０記載の発明は、請求項１９記載の発明の効果に加えて、平板における一連の開口より外方側の部分全体が変形するため、平板に直交する方向の許容範囲が更に大きくなり、収納が更にしやすくなる。
【００７６】
請求項２１記載の発明は、請求項１９または請求項２０記載の発明の効果に加えて、開口近傍の内方側への変形が更に容易となるため、平板の開放面側の領域の変形がスムーズ且つ大きくなり、使用時の収納容器の変形操作がしやすくなる。
【００７７】
請求項２２記載の発明は、線分近傍の内方面側への移動に伴って、線分の始点及び終点の部分を支点として延長片同志の間隔が拡大するため、平板に直交する方向の位置合わせが容易となり、収納がしやすくなる。
【００７８】
請求項２３記載の発明は、線分近傍の内方面側への移動に伴って、開放面を構成する辺であって始点と終点とで挟まれた部分の平板に直交する方向の間隔が拡大するため、平板に直交する方向の位置合わせが容易となり、収納がしやすくなる。
【００７９】
請求項２４記載の発明は、被収納体の一部を平板に直交する方向から切欠内部を通過するように移動させてガイド板に当接させると、平板の一方に対する被収納体の収納位置が規定されるため、収納がしやすくなる。
【発明を実施するための最良の形態】
【００８０】
図１は、この発明の第１の実施の形態による収納容器の使用状態を示した斜視図である。
【００８１】
図を参照して、収納容器１は、第１の平板３、第２の平板４、第１の側板７、第２の側板８、背板１６とからなる一面が開放された直方体箱形形状に構成されている点は、従来と同様である。これに加えて、第１のストッパー９ａ及び９ｂと第２のストッパー１０及び１０ｂとガイド板１２を更に含む点が従来とは異なっている。
【００８２】
第１のストッパー９ａは、矩形形状の平板からなり、第１の側板７の内方面上において、開口部１７側の端部から所定範囲に取り付けられている。第１の平板３に直交する方向の第１のストッパー９ａの幅は、第１の平板３と第２の平板４の各々の内面の間隔とほぼ等しい大きさに形成されている。
【００８３】
第２のストッパー１０ａは、矩形形状の平板からなり、第１の側板７の内方面上において、側板７と背板１６の各々の内方面が接する部分から所定範囲に取り付けられている。第１の平板３に直交する方向の第２のストッパー１０ａの幅もまた、第１の平板３と第２の平板４の各々の内面の間隔とほぼ等しい大きさに形成されている。
【００８４】
また、第２の側板８の内方面上においても、第１のストッパー９ｂ及び第２のストッパー１０ｂが、位置、寸法とも、第１の側板７の内方面上における第１のストッパー９ａ及び第２のストッパー１０ａと同様に取り付けられている。
【００８５】
ガイド板１２は、ほぼ矩形形状の平板からなり、一対の側壁部１５ａ及び１５ｂがそれぞれ、第１の側板７及び第２の側板８にほぼ平行となる向きで、ガイド板１２の下面が第２の平板４の内方面に接するように配置されている。また、側壁部１５ａ及び１５ｂの背板１６側の端部から所定範囲には、突起部１４ａ及び１４ｂが形成されている。更に、ガイド板１２の開口部１７側の端部には切欠５と同形状の切欠１３が形成されている。
【００８６】
ここで、ガイド板１２における各寸法を説明する。第１の側板７に直交する方向における側壁部１５ａと１５ｂとの幅は、第１のストッパー９ａ及び９ｂの各々の内面の間隔より小さく形成されている。また、同方向における突起部１４ａ及び１４ｂとの幅は、第１のストッパー９ａ及び９ｂの各々の内面の間隔より大きく、かつ、第１の側板７及び第２の側板８の各々の内面の間隔より小さく形成されている。
【００８７】
このような寸法に形成されているため、ガイド板１２は、突起部１４ａが第１の側壁７上の、第１のストッパー９ａと第２のストッパー１０ａとの間隔の範囲内にあり、他方の突起部１４ｂも第２の側壁８上の同様の範囲内にある限り、内方から外方に向かう方向において、自在に移動することが可能である。ガイド板１２が最も内方に格納された場合は、突起部１４ａ及び１４ｂのそれぞれが、第２のストッパー１０ａ、１０ｂの開口部１７側の端部に当接した状態となる。このとき、ガイド板１２の開口部１７側の端部が第２の平板４の開口部１７側に整列するように、ガイド板１２の側壁部１５ａ及び１５ｂの長さが設定されている。一方、ガイド板１２が最も外方に引き出された場合は、突起部１４ａ及び１４ｂのそれぞれが、第１のストッパー９ａ、９ｂの背板１６側の端部に当接する。このとき、ガイド板１２は開口部１７から外方へ突出した状態となる。また、第１の平板３と直交する方向についても、第１の平板３及び第２の平板４のそれぞれに平行に接した二つの状態の間で、自在に移動することが可能である。
【００８８】
次に、被収納体２０を収納容器１に収納する手順について説明する。
【００８９】
図２は、この発明の第１の実施の形態による収納容器に被収納体を収納する過程を示した図である。
【００９０】
図２の（１）を参照して、収納容器１は、ガイド板１２が内部に完全に格納された状態である。このとき、収納容器１は第２の平板４を下にしてほぼ水平に配置されているため、ガイド板１２は第２の平板４の内方面に接した状態となっている。被収納体２０を収納するためには、まず、ガイド板１２を外方に引き出す操作を行う。
【００９１】
まず、図２の（２）に示すように、開口部１７が下方になるように収納容器１を傾けると、ガイド板１２はその自重により第２の平板４に沿って下方へ移動し始める。ガイド板１２に形成された突起部１４ａ及び１４ｂがそれぞれ、第１のストッパー部９ａ、９ｂに当接すると、ガイド板１２のそれ以上の移動は阻止され、一部が開口部１７から引き出された状態となる。
【００９２】
次に、図２の（３）に示すように、被収納体２０の下面２２の背面２６側が、ガイド板１２に接するように配置し、被収納体２０の右側面２３及び左側面２４が、第１のストッパー９ａ及び９ｂの各々の内面を含む平面で挟まれた範囲に含まれるように、被収納体２０の位置を調節する。この状態で被収納体２０の前面２５を背面２６方向へ押して被収納体２０をガイド板１２に沿って進行させる。このとき、第１の平板４の内方面に対して被収納体２０の下面２２の位置が規定されているので、第１の平板３及び第２の平板４に対する位置合わせが容易となる。被収納体２０の前面２５を更に押すと、背面２６は収納容器１の開口部１７から内部に進入する。
【００９３】
図２の（４）は、被収納体２０の一部が収納容器１の内部に進入した状態である。この状態から被収納体２０を更に進行させると、被収納体の背面２６が収納容器１の背板１６の内方面に当接し、収納が完了する。このとき、ガイド板１２は、被収納体２０の進行に伴う摩擦力によって収納容器１の内部へと移動し、突起部１４ａ及び１４ｂが第２のストッパー１０ａ又は１０ｂに当接したところで、完全に収納容器１に格納された状態となる。
【００９４】
このように、ガイド板１２が第２の平板４に接していることにより、被収納体２０の下面２２の位置は常に第２の平板４の内方面を含む平面上にあり、かつ、被収納体２０の上面２１の位置は常に第１の平板３の内方面を含む平面より下に規定される。したがって、収納時に必要な被収納体２０の位置調整は、右側面２３及び左側面２４の位置のみとなり、収納が迅速かつ容易となる。また、ガイド板１２は完全に収納容器１の内部に格納されるので、収納状態がすっきりする。
【００９５】
また、収納容器１から被収納体２０を取り出す際には、第１の平板３、第２の平板４及びガイド板２０のそれぞれに形成された切欠５又は切欠１３から露出した被収納体２０の一部を両面から容易に挟んで外方に引き出すことができる。
【００９６】
尚、図２の（１）では、第２の平板４を下にしてほぼ水平に収納容器１を配置したが、ガイド板１２は第１の平板３にも平行に接することができるため、収納容器１の天地を逆にして第１の平板３を下にした場合でも、収納方法及び収納しやすいという効果は同様である。よって、収納容器１は、第１の平板３又は第２の平板４のいずれの面を下にしても使用することができ、使い勝手が向上する。
【００９７】
図３は、この発明の第２の実施の形態による収納容器を示した斜視図である。
【００９８】
図を参照して、収納容器１は、第１の平板３、第２の平板４、第１の側板７、第２の側板８及び背板１６とから構成される収納本体とその内部に配置されたガイド板１２とからなり、基本的な位置、寸法は第１の実施の形態と同様であるので、以下に相違点のみ説明する。
【００９９】
この実施の形態においては、第１の側板７及び第２の側板８の内面にそれぞれ、移動阻止板４２ａ及び４２ｂが取り付けられている点が異なっている。
【０１００】
移動阻止板４２ａは、外形がほぼ矩形形状の平板からなり、第１の側板７の内方面と幅及び長さがほぼ同じ寸法である。移動阻止板４２ａの下端部のほぼ中程には、矩形形状の切欠４３ａが、その長方向が内方から外方へと向かう方向になるように形成されており、切欠４３ａの短方向の長さは、ガイド板１２の厚みより僅かに大きくなるように形成されている。この切欠４３ａの範囲に、ガイド板１２の突起部１４ａが位置するように、ガイド板１２が取り付けられている。
【０１０１】
また、第２の側板８の内方面上においても同様に、移動阻止板４２ａと同形状の移動阻止板４２ｂが取り付けられており、ガイド板１２の突起部１４ｂが移動阻止板４２ｂにおける切欠４３ｂの内部に位置するように配置されている。
【０１０２】
ガイド板１２は、突起部１４ａ及び１４ｂがそれぞれ、切欠４３ａ、４３ｂの長方向の範囲にある限りは、第２の平板４に沿うようにして、内方から外方に向かう方向において自在に移動することが可能である。ただし、切欠４３ａ及び４３ｂの短方向、すなわち、第２の平板４に直交する方向の幅は、ガイド板１２の突起部１４ａ及び１４ｂの厚みより僅かに大きいだけであるので、ガイド板１２の第２の平板４と直交する方向の移動は阻止されている。
【０１０３】
このように、ガイド板１２は第２の平板４に接した状態で、背板１６に直交する方向に移動自在であるため、第２の平板４を被収納体の下面の基準位置とすることができ、収納時には第１の実施の形態と同様に、収納が容易となる効果を発揮する。また、移動阻止板４２ａ及び４２ｂにより、ガイド板１２の第２の平板４に直交する方向への移動が阻止されているため、ガイド板１２上には、被収納体の収納時にその位置を規定するための図４で示すような別の支持手段等を構成することが可能となり、被収納体の形状等に依存した別の効果を追加することができる。
【０１０４】
図４は、この発明の第２の実施の形態による収納容器において、ガイド板に支持手段を付加した他の例を示した図である。
【０１０５】
図を参照して、収納容器１は、図３におけるガイド板１２に、更に第１の支持板２８及び第２の支持板２９を付加したものである。
【０１０６】
第１の支持板２８は、矩形形状の平板からなり、ガイド板１２上の側壁部１５ａの上部において、移動阻止板４２ａと平行になるように取り付けられている。第１の支持板２８のガイド板１２に直交する方向の幅は、ガイド板１２の上面と第１の平板３の内方面との間隔より小さく設定されている。また、第１の支持板２８の内方から外方へと向かう長さは、ガイド板１２の同方向の長さより小さく設定されている。
【０１０７】
第２の支持板２９は、矩形形状の平板からなり、ガイド板１２上の背板１６側の辺に背板１６と平行になるように取り付けられている。第２の支持板２９のガイド板１２に直交する方向の幅は、ガイド板１２の上面と第１の平板３の内方面との間隔より小さく設定されている。また、第２の支持板２９の第１の側板３に直交する方向の長さは、第１の支持板２８の内方面と第２の移動阻止板４２ｂの内方面との間隔より小さく設定されている。
【０１０８】
この収納容器１についても、被収納体の収納方法は同様であり、また、ガイド板１２により第２の平板４に対して被収納体の下面位置が規定されるため、収納時の位置合わせが容易となる。更に、第１の支持板２８によって、収納時に被収納体の一方の側面をも支持することができるため、第１の側板７に対しても、被収納体の位置が規定される。よって、被収納体の上下及び左右の二方向の位置合わせが同時に行えるため、収納がより容易となる。
【０１０９】
更に、ガイド板１２を収納本体から押し出す機構等を組み込んだ場合、第２の支持板２９により被収納体が外方に押し出され、被収納体の取り出しも容易となる。
【０１１０】
また、切欠４３ａ及び４３ｂを背板１６に向かって長く形成し、移動阻止板２９が背板１６の内方面に接する位置までガイド板１２が移動できるようにしても良い。
【０１１１】
図５は、この発明の第３の実施の形態による収納容器の斜視図である。
【０１１２】
図を参照して、収納容器１は、第１の平板３、第２の平板４、第１の側板７、第２の側板８及び背板１６とで収納本体が形成されている点は、第１の実施の形態と同様であるが、背板１６に直交する方向の各平板の寸法が、被収納体より短く形成されている点が異なっている。
【０１１３】
また、第１の側板７の内方面に、第１のストッパー９ａ及び第２のストッパー１０ａが取り付けられている点は、第１の実施の形態と同様であるが、第１のストッパー９ａと第２のストッパー１０ａとの間隔が小さく形成されている点が異なっている。そして、第１のストッパー９ａの背板１６に直交する方向の長さが短く、第２のストッパー１０ａの同方向の長さが長く形成されている点も異なっている。尚、第２の側板８の内方面においても、第１のストッパー９ｂ及び第２のストッパー１０ｂが、この実施の形態における第１の側板７の内方面と同様に取り付けられている。
【０１１４】
更に、ガイド板１２については、切欠１３と突起部１４ａ及び１４ｂが形成されている点は第１の実施の形態と同様であるが、側壁部１５ａ及び１５ｂの長さが短く形成されている点が異なっている。ガイド板１２は、第１の平板３及び第２の平板４のそれぞれの内方面に平行に接するように移動できるだけでなく、その先端部が、第１の平板３及び第２の平板４の各々の内面を含む平面で挟まれた範囲より外方に配置するように、自重によって傾斜することができる点も異なっている。加えて、ガイド板１２は内方から外方へ向かう方向への移動が阻止されている点も異なっている。
【０１１５】
ここで、収納容器１に被収納体２０を収納する方法について説明する。
【０１１６】
図６は、この発明の第３の実施の形態による収納容器に被収納体を収納する過程を示した側面図である。
【０１１７】
図６の（１）を参照して、この実施の形態による収納容器１に被収納体２０を収納するためにはまず、収納容器１をほぼ水平にし、収納容器１の内方から外方へと向かってガイド板１２が下降するように支持する。次に、ガイド板１２の外方部の一部に、被収納体２０の下面２２と背面２６との接合部付近を接するように配置する（二点鎖線の位置）。そして、被収納体２０の背面２６をガイド板１２に沿って開口部１７の方向に進行させる。被収納体２０の背面２６が開口部１７より内方に僅かに進入すると、被収納体２０の背面２６の下部でガイド板１２の内方部を押し下げ、図６の（２）に示すように、ガイド板１２は第２の平板４の内方面に接した状態となる。この状態から被収納体２０の前面２５を背面２６の方に向かって更に押すと、図６の（３）に示すように、背面２６が収納容器１の背板１６の内方面に当接し、収納が完了する。
【０１１８】
このように、この実施の形態においても、ガイド板１２が第１の平板３又は第２の平板４のいずれかの内方面に平行に接することができるため、被収納体２０の位置合わせが容易になる点は、他の実施の形態と同様である。これに加えて、ガイド板１２の外方部の一部が、第１の平板３及び第２の平板４の更に外方に位置しているため、開口部１７に対する被収納体２０の位置合わせの許容範囲が広くなり、使い勝手が向上する。また、ガイド板１２の内方から外方へ向かう方向の移動が阻止されているため、開口部１７が上向き若しくは下向きになるように収納容器１を配置した場合でも、同様に使用することができる。
【０１１９】
図７は、この発明の第４の実施の形態による収納容器を示した斜視図である。
【０１２０】
図を参照して、収納容器１は、第１の平板３、第２の平板４、第１の側板７、第２の側板８及び背板１６とで収納本体が形成されている点とそれぞれの寸法については、第３の実施の形態と同様であるので、以下相違点のみ説明する。
【０１２１】
ガイド板１２は、ほぼ矩形形状の平板からなり、一対の側壁部１５ａ及び１５ｂがそれぞれ、第１の側板７、第２の側板８と平行になり、その一部が開口部１７より外方に位置し、他方部が第２の平板４の内方面に接するように配置されている。ガイド板１２の外方部の端部には、後述する支持棒３３ａ及び３３ｂと回動自在に連結できるように、円柱形状の端縁部３６が形成されている。ガイド板１２の側壁部１５ａと１５ｂとの間の幅は、第１の側板７、第２の側板８との間隔より小さく形成されている。
【０１２２】
一対の支持棒３３ａ及び３３ｂは、針金等の棒状物の両端部のそれぞれを逆方向に折り曲げることによって形成されており、第１の側板７及び第２の側板８とガイド板１２とを連結するために取り付けられている。支持棒３３ａは、その一方が第１の支持板７に形成された小孔３４ａに対して、その他方がガイド板１２の端縁部３６の側壁部１５ａ側の端部に形成された小孔３５ａに対して回動自在に取り付けられている。また、支持棒３３ｂも同様に、第２の支持板８の小孔３４ｂと、端縁部３６の小孔３５ｂとに対して回動自在に取り付けられている。
【０１２３】
このように、支持棒３３ａ及び３３ｂは、第１の側板７及び第２の側板８、及びガイド板１２の端縁部３６に対しても回動自在であるため、ガイド板１２は第２の平板４の内方面から移動して、第１の平板３の内方面に平行に接することができるほか、第３の実施の形態と同様に、ガイド板の端縁部３６が第１の平板３及び第２の平板４の外方に位置するよう傾斜することができる。
【０１２４】
図８は、第４の実施の形態による収納容器に被収納体を収納した状態を示した側面図である。
【０１２５】
図を参照して、被収納体２０が完全に収納された状態では、ガイド板１２は第２の平板４の内方面と平行に接しており、ガイド板１２と第１の平板３とで挟まれ、かつ、支持棒３３ａ及び３３ｂの間に被収納体２０が位置するように収納されている。尚、ガイド板１２に被収納体２０の下面２２を接しながら背板１６方向に被収納体２０を進行して、収納する手順は、第３の実施の形態と同様である。したがって、この実施の形態においても、ガイド板１２が収納時の基準位置となり、被収納体２０の収納が容易になる。
【０１２６】
図９は、この発明の第５の実施の形態による収納容器の斜視図である。
【０１２７】
図を参照して、この実施の形態の収納容器１は、基本的な構成及び寸法は第１の実施の形態と同様であるので、相違点のみ説明する。
【０１２８】
第１の側板７及び第１のストッパー９ａの開口部１７側の端部に、第１の平板３側に切欠３９ａが形成され、第２の平板４側に切欠３９ｂが形成されている点が異なっている。
【０１２９】
また、第２の側板８及び第１のストッパー９ｂの開口部１７側の端部に、第１の平板３側に切欠４０ａが形成され、第２の平板４側に切欠４０ｂが形成されている点も異なっている。
【０１３０】
ガイド板１２の移動範囲と被収納体の収納方法、及び収納が容易になるという効果は、第１の実施の形態と全く同様である。これに加えて、上記の切欠３９ａ及び３９ｂ並びに切欠４０ａ及び４０ｂが形成されていることにより、開口部１７に隣接した第１の側板７及び第２の側板８の各面の開口部１７側が変形可能になる。したがって、収納体の収納時に、被収納体の左側面を収納容器１の第１のストッパー９ａの端部の内方面に押しつけるようにすると、切欠３９ａ及び３９ｂが形成されていることによって、第１のストッパー９ａ及び第１の側板７の先端が被収納体に押されて、やや外方に広がることになる。第１のストッパー９ｂ及び第２の側板８の先端についても同様に作用する。これによって、ガイド板１２によって収納体の基準位置が規定されない左右方向においても、位置調節の厳密さが緩和され、収納がより容易となる。
【０１３１】
図１０は、この発明の第６の実施の形態による収納容器を示した斜視図である。
【０１３２】
図を参照して、この実施の形態の収納容器１は、基本的な構成及び寸法は第１の実施の形態と同様であるので、相違点のみ説明する。
【０１３３】
この実施の形態では、第１の平板３及び第２の平板４について、背板１６に直交する方向の寸法が、第１の実施の形態より短く形成されている点のみが異なっている。
【０１３４】
ガイド板１２の側壁部１５ａ及び１５ｂの長さは、第１の実施の形態と同様に、最も内方に格納された状態で、第１の側板７及び第２の側板８の端部と同位置になるように形成されている。ただし、第１の平板３及び第２の平板４の寸法が短く形成されているため、ガイド板１２を最も内方に格納した状態でも、ガイド板１２の一部が開口部１７の外方に常に位置している。
【０１３５】
また、第１の側板７及び第１のストッパー９ａの先端部分、並びに第２の側板８及び第１のストッパー９ｂの先端部分についても、第１の平板３及び第２の平板４の寸法が短く形成されているため、第１の平板３及び第２の平板４より外方に位置している。
【０１３６】
したがって、被収納体の収納時に、外方に露出しているガイド板１２上に被収納体の下面が接するように配置することにより、位置合わせが容易になるという効果だけでなく、同時に第１のストッパー９ａ又は９ｂの一方の先端部分の内面にも接するように配置することにより、被収納体の左右方向の位置調整も可能になり、収納がより容易になる。
【０１３７】
尚、上記の各実施の形態では、直方体箱形形状の収納容器として説明したが、単に容器のみならず、この構造が組み込まれた収納体等を広く含むものである。
【０１３８】
また、上記の各実施の形態では、被収納体を直方体形状のものとして説明したが、必ずしも直方体である必要はなく、直方体以外でも、直方体箱形形状に収納しうる形状であれば良い。
【０１３９】
更に、上記の各実施の形態では、第１の側板７又は第２の側板８の内方面上において、第１のストッパー９及び第２のストッパー１０又は移動阻止板４２等の部材によって囲み部を形成することにより、ガイド板１２の突起部１４の移動可能範囲を限定しているが、これらの部材を使用する代わりに第１の側板７及び第２の側板８上に設けた開口部によって突起部１４の移動可能範囲を限定しても良い。
【０１４０】
更に、上記の各実施の形態では、被収納体が完全に収納された状態において、被収納体を支持するために背板１６が含まれているが、これは必ずしも必要なく、収納容器１の対向する二面が共に開口であっても良い。また、対向する二面が開口の場合において、収納容器１内部に被収納体の進行を停止するための突起を設ける等、背板１６と同等の進行停止機能を有する手段を構成しても良い。
【０１４１】
更に、上記の各実施の形態では、収納容器１の使用状況について、収納容器１をほぼ水平に保持した状態で説明したが、必ずしも水平に保持する必要はなく、ガイド板１２の少なくとも一部が外方に位置した状態になれば、収納時に同等の効果を発揮しうる。
【０１４２】
更に、上記の各実施の形態では、第１の平板３、第２の平板４及びガイド板１２の開口部１７側の端部に切欠が形成されているが、これは被収納体の取り出しを容易にするために形成されているものであり、必ずしも必要ではない。
【０１４３】
更に、上記の各実施の形態では、第１のストッパー９、第２のストッパー１０及び移動阻止板４２は全て平板で形成されているが、ガイド板１２の突起部１４の移動を所定範囲に限定できれば、他の形状の材料を使用したり、寸法や取り付け範囲等を変更しても良い。
【０１４４】
更に、第１及び第２の実施の形態では、ガイド板１２の側壁部１５の長さは、ガイド板１２の格納時にガイド板１２の開口部１７側の端部が、第１の平板３又は第２の平板４の開口部１７側と整列するように設定されているが、必ずしも整列する必要はなく、ガイド板１２の開口部１７側の端部が格納時に内方に位置するように設定しても良い。
【０１４５】
更に、第１及び第２の実施の形態では、ガイド板１２の切欠１３と、第１の平板３及び第２の平板４の切欠５ａ及び５ｂは、同形状に形成されているが、これらの切欠はそれぞれ別の形状に形成しても良い。
【０１４６】
更に、第１及び第２の実施の形態では、ガイド板１２の突起部１４は、ガイド板１２の側壁部１５の背板１６側の端部から所定範囲に形成されているが、側壁部１５上の他の位置に形成しても良い。
【０１４７】
更に、第１の実施の形態では、収納時において、ガイド板１２は第２の平板４に対して常に平行に配置されているが、ガイド板１２を外方に引き出した後、第３の実施の形態と同様にガイド板１２が傾斜できるように構成すれば、更に収納が容易となる。
【０１４８】
更に、第５及び第６の実施の形態では、第１の実施の形態を元にして、位置合わせを容易にする構造を形成しているが、この構造は他の全ての実施の形態についても同様に適用することができる。
【０１４９】
更に、第５の実施の形態においては、第１の側板７及び第２の側板８の両方に切欠が形成されているが、両方の側板に形成されていることは必ずしも必要ではなく、一方の側板にのみ形成されていても良い。
【０１５０】
更に、第６の実施の形態においては、ガイド板１２は内方から外方へと移動することができるが、内方の格納位置から外方へのガイド板１２の移動が阻止されるように収納本体を構成しても良い。
【０１５１】
更に、第３の実施の形態では、ガイド板１２は内方から外方に向かう方向への移動は阻止されているが、実施の形態の位置から更に外方へスライドできるようにし、その外方位置で傾斜できるように構成すれば、位置合わせの許容範囲がさらに拡大する。
【０１５２】
図１２は、この発明の第７の実施の形態による収納容器を示した斜視図である。
【０１５３】
図を参照して、収納容器１は、第１の平板３、第２の平板４、第１の側板７、第２の側板８、背板１６とから一面が開放された直方体箱形形状に構成されている点は、従来と同様である。これに加えて、第１の側板７及び第２の側板８の開放された面側に開口６８及び６９が形成され、第１ガイド板６１及び第２ガイド板６４を備えている点が従来例とは大きく異なっている。
【０１５４】
第１の側板７は、開放された面を構成する辺から外方側へと延長され、突出部６７ａが形成されている。また、第１の側板７には、開放された面を含む平面より内方側の位置に、第１の平板３に沿って開口６８ａが形成され、第２の平板４に沿って開口６９ａが形成されている。開口６８ａ及び開口６９ａは、後述するようにガイド板６１及び６４の突起部を取り付けるためのものであり、その第１の平板３に直交する方向の大きさは、開放された面側の端部においては後述するガイド板６１及び６４の突起部の厚みより僅かに大きく、外方から内方へと向かう方向に連続的に広がるように形成されている。尚、第２の側板８についても第１の側板７と対称となる位置に同様の寸法で、突出部６７ｂ、図示しない開口６８ｂ及び開口６９ｂが形成されている。
【０１５５】
第１ガイド板６１は、ほぼ矩形形状の平板からなり、一対の側壁部６３ａ及び６３ｂのそれぞれが、第１の側板７及び第２の側板８にほぼ平行となる向きで、その一部が第１の平板３の内方面に沿うように配置されている。側壁部６３ａ及び６３ｂの背板１６側の端部から所定範囲には、突起部６２ａ及び６２ｂが形成されている。第１の側板７に直交する方向の第１ガイド板６１の各寸法は、第１の側板７及び第２の側板８のそれぞれの内方面の間隔に対して、側壁部６３ａと６３ｂとの間隔は小さくなるように形成され、突起部６２ａと６２ｂとの間隔は大きくなるように形成されている。尚、第２ガイド板６４は、第１ガイド板６１と同様の構成と寸法に形成されており、一対の側壁部６６ａ及び６６ｂのそれぞれが第１の側板７及び第２の側板８にほぼ平行となる向きで、その一方面の一部が第２の平板４の内方面に沿うように配置されている。
【０１５６】
このように構成された第１ガイド板６１は、突起部６２ａが第１の側板７の開口６８ａの内部に位置し、突起部６２ｂが第２の側板８の図示しない開口６８ｂの内部に位置するよう取り付けられている。上述の通り、開口６８ａ及び６８ｂの開放された面側の端部の大きさは、突起部６２ａ及び６２ｂの第１ガイド板６１に直交する方向の厚みより僅かに大きいだけであるため、突起部６２ａ及び６２ｂの開放された面側の端部は、第１の平板３と直交する方向には殆ど移動することができない。一方、開口６８ａ及び６８ｂの背板１６側の端部の大きさは、開放された面側の端部を中心に突起部６２ａ及び６２ｂの長さを半径とした円弧状に形成されている。
【０１５７】
このため、第１ガイド板６１は、第１の平板３とほぼ平行な状態で第１の平板３に直交する方向への移動は阻止されているが、第１の平板３の開放された面を構成する辺を支点として、二点鎖線の位置まで傾斜することが可能である。このとき、第１ガイド板６１の外方側の一部が、第１の平板３の内方面を含む平面よりも外方に位置することとなる。
【０１５８】
第２ガイド板６４もまた、突起部６５と開口６９とによって第１ガイド板６１と同様に取り付けられているため、第２の平板４が開放された面を構成する辺を支点として傾斜することが可能である。したがって、図に示すように、第２の平板４がほぼ水平となるように収納容器１を保持すると、下方の第２ガイド板６４はその自重により二点鎖線の位置から実線の位置へと傾斜した状態となる。
【０１５９】
図１３は、図１２で示した収納容器に被収納体を収納する過程を示した側面図である。
【０１６０】
図を参照して、第１の平板３及び第２の平板４がほぼ水平方向となるように収納容器１を保持すると、第１ガイド板６１は、第１の平板３と直交する方向への移動が阻止されているため、第１の平板３の内方面に沿った状態で静止する（実線の位置）。一方、第２ガイド板６４は、上述のように、自重によって二点鎖線の位置から実線の位置へと傾斜した状態を維持している。
【０１６１】
このとき、開放された面を正面から見ると、第２ガイド板６４によって第１の平板３及び第２の平板４に直交する方向の許容範囲が拡大することになる。したがって、開放された面に対する被収納体２０の前面２５の上下方向の位置合わせが容易となり、収納しやすくなる。また、収納に伴って、第２ガイド板６４は二点鎖線の位置へと移動し、第２の平板４と被収納体２０の下面２２に沿うため、収納時の状態がすっきりする。
【０１６２】
また、第１ガイド板６１もその一部が第１の平板３の内方面を含む平面より外方となるように傾斜することができるため、使用時に第１の平板３と第２の平板４との位置関係を逆にして、第２ガイド板６４が上方で第１ガイド板６１が下方となるように保持した場合でも、第１ガイド板６１により同様の効果を発揮する。したがって、収納容器１の使用時に第１の平板３と第２の平板４のいずれが上方であるかを意識することなく使用することが可能となり、使い勝手が良い。
【０１６３】
図１４は、この発明の第８の実施の形態による収納容器を示した斜視図である。
【０１６４】
図を参照して、収納容器１の基本的な構成は第７の実施の形態と同様であるので、相違点についてのみ説明する。この実施の形態では、突出部６７の形状と、第１ガイド板６１及び第２ガイド板６４の形状と、第１の側板７及び第２の側板８に開口７０が形成されている点とが異なっている。
【０１６５】
突出部６７ａは、図１２で示した第７の実施の形態と同様に、第１の側板７の開放された面を構成する辺から外方側に延長するように接続されているが、第１の平板３に直交する方向の幅が第１の側板７よりも小さく形成され、同方向における両端部に、切欠３９ａ及び３９ｂが形成されている。また、第２の側板８の外方側の端部についても同様に図示しない突出部６７ｂと切欠４０とが形成されている。
【０１６６】
第１ガイド板６１が側板７に沿う辺には、背板１６側の端部から所定範囲の突起部６２ａと、外方側の端部から所定範囲の側壁部６３ａとを形成するように切欠７２ａが設けられている。第２の側板８に沿う辺にも同様に、突起部６２ｂと側壁部６３ｂとを形成するように切欠７２ｂが設けられている。第１の側板７に直交する方向の第１ガイド板６１の各寸法は、第１の側板７及び第２の側板８のそれぞれの内方面の間隔に対して、側壁部６３ａ及び６３ｂ同士の間隔は大きく、切欠７２ａ及び７２ｂ同士の間隔は小さく、そして、突起部６２ａ及び６２ｂ同士の間隔は大きく形成されている。内方と外方とを結ぶ方向における切欠７２ａ及び７２ｂの寸法については後述する。
【０１６７】
第２ガイド板６４もまた、第１ガイド板６１と同様の構成及び寸法にて、突起部６５、側壁部６６及び図示しない切欠７３が形成されている。
【０１６８】
尚、第１ガイド板６１及び第２ガイド板６４に形成されている切欠１３ａ及び１３ｂは、他の実施の形態におけるガイド板の切欠と同様、収納ケース１に収納された被収納体を取り出しやすくするためのものである。
【０１６９】
開口７０ａは、ほぼ５角形を有し、第１の側板７において開放された面を含む平面より内方側の位置に形成されている。平板３と直交する方向の開口７０ａの寸法は、第１の平板３及び第２の平板４の内方面同士の間隔とほぼ等しく、内方と外方とを結ぶ方向の開口７０ａの寸法は、第１ガイド板６１の突起部６２ａの同方向の長さより大きく形成されている。また、第２の側板８に形成されている開口７０ｂについても、開口７０ａと同様の位置及び寸法で形成されている。
【０１７０】
第１ガイド板６１が第１の側板７に取り付けられた状態においては、突起部６２ａが第１の側板７の開口７０ａの内部に位置すると共に、開口７０ａと切欠３９ａとで挟まれた部分が、第１ガイド板６１の切欠７２ａの内部に位置している。ここで、開口７０ａの上半分と切欠３９ａとで挟まれた部分の幅は、常に第１ガイド板６１の切欠７２ａより小さくなるように形成されているため、第１ガイド板６１の突起部６２ａは、開口７０ａ内部において切欠３９ａの位置を中心に移動することが可能である。また、第１ガイド板６１の側壁部６３ａは、突出部６７ａの切欠３９ａ上に位置するため、第１ガイド板６１の第１の平板３と直交する方向への移動が阻止されている。
【０１７１】
図１５は、図１４で示した収納容器に被収納体を収納する過程を示した側面図である。
【０１７２】
図を参照して、この実施の形態における収納容器１の使用状態は、図１３で示した第７の実施の形態におけるものと同様である。収納容器１の第１の平板３及び第２の平板４をほぼ水平方向となるように保持すると、第１ガイド板６１は、突出部６７ａによって、第１の平板３と直交する方向の移動が阻止されているため、その一部が第１の平板３の内方面に沿った状態で静止する（実線の位置）。一方、第２ガイド板６４は、その重心位置が第２の平板４の開放された面側の端縁より外方側に位置するため、突起部６５ａが開口７０ａ内部で上方に移動し、第２ガイド板６４は二点鎖線の位置から実線の位置へと傾斜した状態となる。
【０１７３】
このとき、開放された面を正面から見ると、第２ガイド板６４によって第１の平板３及び第２の平板４に直交する方向の許容範囲が拡大することになる。したがって、開放された面に対する被収納体２０の上下方向の位置合わせが容易となり、収納しやすくなる。また、収納に伴って、第２ガイド板６４は二点鎖線の位置へと移動し、第２の平板４と被収納体２０の下面に沿うことができるため、収納時の状態がすっきりする。
【０１７４】
また、第１ガイド板６１もまた、その一部が第１の平板３の内方面を含む平面より外方となるように傾斜することができるため、使用時に第１の平板３と第２の平板４との位置関係を逆にして、第２ガイド板６４が上方で第１ガイド板６１が下方となるように保持した場合でも、第１ガイド板６１により同様の効果を発揮する。
【０１７５】
図１６は、この発明の第９の実施の形態による収納容器を示した斜視図であり、図１７は、図１６で示した収納容器の側面図である。
【０１７６】
これらの図を参照して、この実施の形態による収納容器１の基本的な構成は第８の実施の形態と同様であるが、第１ガイド板６１及び第２ガイド板６４に形成された切欠７２及び７３の大きさが異なっている。
【０１７７】
第１ガイド板６１における切欠７２ａ及び７２ｂは、第１ガイド板６１に沿って内方と外方とを結ぶ方向の大きさが第８の実施の形態より大きく形成されている。したがって、第１ガイド板６１は、第１ガイド板６１の一方面を含む面内において、内方の位置と外方の位置とをスライドすることが可能である（図１７の矢印の向き）。
【０１７８】
第１ガイド板６１の切欠７２ａの位置及び寸法は、第１ガイド板６１のスライドに伴って、第１ガイド板６１の重心位置が第１の平板３の端縁８８ａの内方側と外方側とを移動することができるように形成されている。すなわち、第１ガイド板６１が最も内方へスライドし、切欠７２ａの外方側の端部が突出部６７ａの切欠３９ａと当接する時には、第１ガイド板６１の重心位置が第１の平板３の端縁８８ａより内方側に位置し、一方、第１ガイド板６１が最も外方へスライドし、切欠７２ａの内方側の端部が開口７０ａと当接する時には、第１ガイド板６１の重心位置が端縁８８ａより外方側に位置するように、切欠７２ａが構成されている。尚、第１ガイド板６１の第２の側板８側の切欠７２ｂ、また、第２ガイド板６４の切欠７３ａ及び７３ｂについても、全く同様に構成されている。
【０１７９】
このように構成されているために、例えば、一旦収納時に開放された面を斜下方に向けて収納容器１全体を傾斜すると、第１ガイド板６１及び第２ガイド板６４は、その自重によって外方側にスライドする。そうすると、第２ガイド板６４の重心位置は第２の平板４の端縁８８ｂより外方に移動するため、第２ガイド板６４は端縁８８ｂを支点としてその先端が第２の平板４の内方面を含む平面より外方となるように傾斜する。第１ガイド板６１の重心位置も同様に外方に移動するが、突出部６７ａ及び６７ｂによって側壁部６３ａ及び６３ｂの移動が規制されているため、第１ガイド板６１は、第１の平板３に沿って静止した状態となる。次に、第２ガイド板６４のみが傾斜した状態から、背板１６が斜下方となるように収納容器１全体を傾斜し始めると、第１の平板３に沿った状態にある第１ガイド板６１が第２ガイド板６４より先に内方へとスライドする。第１ガイド板６１の重心位置は第１の平板の端縁８８ａより内方に移動するため、第１ガイド板６１は端縁８８ａを支点としてその先端が第１の平板３の内方面を含む平面より外方となるように傾斜する。この状態で収納容器１を水平に保つと、第１ガイド板６１及び第２ガイド板６４の傾斜状態が保持される。
【０１８０】
したがって、収納容器１の開放された面を正面から見ると、第１ガイド板６１及び第２ガイド板６４の両方が外方へと傾斜しているため、第１の平板３及び第２の平板４に直交する方向の許容範囲がより一層大きくなり、被収納体２０の位置合わせが更に容易で収納しやすくなる。また、収納時に収納容器１の向きを変える操作を行うことによって２枚のガイド板が自動的に傾斜するため、使い勝手が向上すると共に、被収納体の迅速な位置合わせが可能となる。
【０１８１】
図１８は、この発明の第１０の実施の形態による収納容器を示した斜視図であり、図１９は、図１８で示した収納容器の側面図である。
【０１８２】
これらの図を参照して、収納容器１の基本的な構成については、図１４で示した第８の実施の形態と同様であるが、この実施の形態においては、第１の平板３及び第２の平板４の開放された面を構成する辺に切欠７１が形成されている点と、第１ガイド板６１及び第２ガイド板６４の長さが内方側に延長されている点とが、大きく異なっている。
【０１８３】
第１の平板３の開放された面を構成する辺には、その端部９０ａ及び９０ｂの各々から所定部分を残して内方側に拡がる矩形形状の切欠７１ａが形成されている。そして、切欠７１ａの最も内方側の部分は、延長された第１ガイド板６１の一部に重なり合うように構成されている。尚、第２の平板４についても図示しない切欠が形成され、第２ガイド板６４に対して同様に構成されている。
【０１８４】
このように構成されているために、第１の平板３及び第２の平板４がほぼ水平となるように収納容器１を保持すると、第１ガイド板６１は第１の平板３に沿って静止し、第２ガイド板６４はその先端が第２の平板４の内方面を含む平面より外方となるように傾斜する。収納時には、この状態から更に、第１ガイド板６１と第１の平板３の切欠７１ａとの重なり合う部分が矢印の方向に移動するように第１の平板３を押し下げると、第１ガイド板６１は、第１の平板３の切欠かれていない辺の端部９０ａ及び９０ｂを支点として、その先端が第１の平板３の内方面を含む平面より外方となるように傾斜する（図１９の二点鎖線の位置）
【０１８５】
したがって、収納容器１の開放された面を正面から見ると、第２ガイド板６４の傾斜により、第１の平板３及び第２の平板４に直交する方向の許容範囲が大きくなるのに加えて、第１ガイド板６１を使用時の操作により傾斜させることができるため、同方向の許容範囲が更に拡大することになる。よって、被収納体の位置合わせがより容易となって更に収納しやすくなると共に、使い勝手が向上する。
【０１８６】
図２０は、この発明の第１１の実施の形態による収納容器を示した斜視図である。
【０１８７】
図を参照して、収納容器１は、第１の平板３、第２の平板４、第１の側板７、第２の側板８、背板１６とから一面が開放された直方体箱形形状に構成されている点は、従来と同様である。これに加えて、第１の平板３に第１ガイド板６１が接続されている点と、第２の平板４に第２ガイド板６４が接続されている点と、第１の側板７及び第２の側板８に突出部６７ａ及び６７ｂが形成されている点とが、従来例とは大きく異なっている。
【０１８８】
第１ガイド板６１は、第１の平板３の端縁８８ａに第１の平板３と同一平面となるように接続されている（二点鎖線の位置）。第１の平板３と第１ガイド板６１とは、端縁８８ａにおいて折り曲げ自在に接続されており、第１ガイド板６１の先端が第１の平板３の内方面を含む平面より外方となるように傾斜することが可能である（実線の位置）。また、第１ガイド板６１には、端縁８８ａとの接続部分から内方側に突出するように突起部８２ａが形成されているが、第１の平板３には突起部８２ａと相補的な形状の切欠８３ａが形成されているため、突起部８２ａは、第１ガイド板６１に従って、第１の平板３と完全に同一平面を構成する位置から第１の平板３の内方面側へと傾斜することが可能である。尚、第１ガイド板６１の第１の平板３と同一平面にある状態（二点鎖線の位置）から下方への移動は、突出部６７ａ及び６７ｂにより阻止されている。
【０１８９】
第２ガイド板６４についても、同様に第２の平板４の端縁８８ｂに接続され、突出部８２ｂが形成されている。
【０１９０】
この実施の形態による収納容器１では、例えば突起部８２に図示しない付勢手段等が設けられ、第１ガイド板６１及び第２ガイド板６４は、それぞれが傾斜する向きに付勢されている。そのため、被収納体の収納前の状態では、第１ガイド板６１及び第２ガイド板６４は、収納容器１全体の向きにかかわらず、実線で示した位置に傾斜している。したがって、開放された面を正面から見ると、２枚のガイド板によって、第１の平板３及び第２の平板４と直交する方向の許容範囲が拡大するため、収納時における被収納体の位置合わせが容易となり収納しやすくなる。また、このとき、第１ガイド板６１の突出部８２ａ及び第２ガイド板６４の突出部８２ｂは、それぞれ第１の平板３及び第２の平板４の内方面側へと突出した状態となっているが、被収納体の収納に伴って外方へと押され、第１ガイド板６１及び第２ガイド板６４全体が、最終的に二点鎖線で示した位置まで移動して、第１の平板３及び第２の平板４と同一面を構成する。よって、収納時の状態がすっきりする。
【０１９１】
図２１は、この発明の第１２の実施の形態による収納容器を示した斜視図であり、図２２は、図２１で示した収納容器の側面図である。また、図２３は、図２１で示したＸＸＩＩＩ−ＸＸＩＩＩラインの断面図であり、その（１）は収納容器の変形前の状態を示し、その（２）は変形後の状態を示す。更に、図２４は、図２１で示した収納容器の正面図である。
【０１９２】
図２１を参照して、まず、収納容器１の構成について説明する。収納容器１は、従来例と比べて、第１の平板３及び第２の平板４が開放された面より外方側に延長されていると共に、それぞれが折り曲げ部７７を介して二つの領域に区画されている点が大きく異なっている。
【０１９３】
第１の平板３は、開放された面を構成する辺の端部９０ａ及び９０ｂを始点と終点とする円弧状の線分によって、背板１６側の第１領域７５ａと、開放された面を構成する辺との間の第２領域７６ａとに区画されている。第２領域７６ａには、開放された面を構成する辺から外方側へと第１の平板３を延長するように、延長片７８ａが接続されている。第１領域７５ａと第２領域７６ａとを区画する円弧状の線分には、第１領域７５ａと第２領域７６ａとを、第１の平板３の外方側から見て谷折り状態とすることができる折り曲げ部７７ａが形成されている。
【０１９４】
尚、第２の平板４についても、第１の平板３と同様に、円弧状の折り曲げ部７７ｂ、第１領域７５ｂ、第２領域７６ｂ及び延長片７８ｂとを含むように構成されている。
【０１９５】
次に、第１領域７５、第２領域７６及び延長片７８の動作について説明する。ここでは、第１の平板３についてのみ説明するが、第２の平板４は上記の通り、第１の平板３と同じ構成であるため、その動作についても第１の平板３と同様である。
【０１９６】
収納容器１の使用時に第１領域７５ａの折り曲げ部７７ａ近傍を第１の平板３の内方面側へと押すと、第１領域７５ａと第２領域７６ａとは、折り曲げ部７７ａに沿って谷折り状態へと変形する。第１領域７５ａを更に同方向へと押し込むにつれて、折り曲げ部７７ａと第２領域７６ａの折り曲げ部７７ａ近傍は更に同方向へと移動する。このとき、第２領域７６ａは、折り曲げ部７７ａの端部９０ａ及び９０ｂ部分で第１の平板３に直交する方向への移動が阻止されているため、端部９０ａ及び９０ｂ部分を支点として、その先端が開放された面より外方へと移動する。そのため、第２領域７６ａに接続された延長片７８ａは、第２領域７６ａの移動に従って二点鎖線の位置へと移動する。
【０１９７】
側面から見ると、図２２に示すように、第１の平板３の第２領域７６ａは、移動前の延長片７８ａの位置に対して、第１の側板７に直交する方向の中央部分が最も大きく移動して曲面状となり上方に移動する。
【０１９８】
また、図２３の（１）に示すように、収納容器１の変形前には第１領域７５ａ、第２領域７６ａ及び延長片７８ａは共に同一平面内に位置して第１の平板３を構成している。折り曲げ部７７ａの第１領域７５ａ側の位置（矢印の位置）を内方へと押し下げると、図２３の（２）に示すように、折り曲げ部７７ａ部分が谷折り状態となって内方へと移動する。このとき、第２領域７６ａのうち、支点となる端部９０ａ及び９０ｂより内方側に位置する折り曲げ部７７ａ近傍が、支点位置より内方に移動するため、第２領域７６ａの先端側及び延長片７８ａが上昇することになる。
【０１９９】
正面から見ると、図２４に示すように、第１領域７５の折り曲げ部７７ａ及び７７ｂ近傍の移動により、円弧状の折り曲げ部７７ａ及び７７ｂに沿って第２領域７６ａ及び７６ｂが谷折り状態となり、折り曲げ部７７ａは内方に位置することになる（二点鎖線の位置）。
【０２００】
図２５は、図２１で示した収納容器に被収納体を収納する過程を示した側面図である。
【０２０１】
まず、図２５の（１）を参照して、第１の平板３及び第２の平板４の両方向から折り曲げ部７７ａ及び７７ｂを内方へと押し込むと、上述のように延長片７８ａ及び７８ｂが開放された面より外方となるように移動する。このとき、開放された面を正面から見ると、延長片７８ａ及び７８ｂによって、第１の平板３及び第２の平板４に直交する方向の許容範囲が実質的に拡大することになる。したがって、収納時には、被収納体２０の前面２５を、延長片７８ａと７８ｂとで挟まれる空間内に位置するように配置し、被収納体２０の後面２６を矢印の方向へと移動する。
【０２０２】
この過程では、被収納体２０の前面２５が開放された面より外方にある場合に、延長片７８又は７８ｂのいずれかと当接しても、延長片７８ａ及び７８ｂにより構成される間隔は外方から内方へと向かう方向に狭まるため、被収納体２０をそのまま矢印の方向へと押せば、被収納体２０は延長片７８又は７８ｂの内方面に沿いながら開放された面に接近し、第１の平板３及び第２の平板４と直交する方向にほぼ位置調整された状態となる。
【０２０３】
被収納体２０が開放された面から内方へと進入すると、図２５の（２）に示すように、被収納体２０が第２領域７６ａ及び７６ｂの内方面の両方に当接した状態となる。ここから、更に矢印の方向へと被収納体２０の後面２６を押すと、第２領域７６ａ及び７６ｂは被収納体２０によって外方へと押し戻され、矢印の方向へと復帰しようとする。
【０２０４】
そして、図２５の（３）に示すように、収納容器１に被収納体２０が完全に収納された状態になると、折り曲げ部７７の折り曲げ状態が解消し、第１の平板３の第１領域７５、第２領域７６及び延長片７８は、同一面を構成して、被収納体２０に沿った状態となる。
【０２０５】
このように、使用時に第１領域７５の折り曲げ部７７近傍を内方へと押し込むことによって、第１の平板３及び第２の平板４に直交する方向の許容範囲を拡大することができるため、収納が容易となる。また、収納時に第２領域７６及び延長片７８は被収納体に沿うため、見た目がすっきりする。更に、折り曲げ部７７の形状を円弧状としていることにより、第１領域７５ａ及び第２領域７６の谷折り状態への変形が容易となり、使い勝手が向上する。
【０２０６】
図２６は、この発明の第１３の実施の形態による収納容器を示した斜視図である。
【０２０７】
図を参照して、収納容器１の基本的な構成は、図２１で示した第１２の実施の形態によるものと同様であるが、第１領域７５と第２領域７６との間にスリット７９又は８０が形成され、折り曲げ部７７が小さく形成されている点が大きく異なっている。
【０２０８】
第１の平板３は、第１の平板３が開放された面を構成する辺を下底とする台形の上底及び両斜辺を繋ぐ線分によって、背板１６側の第１領域７５ａと、開放された面を構成する辺との間の第２領域７６ａとに区画されている。第２領域７６ａには、第１２の実施の形態と同様に延長片７８ａが接続されている。
【０２０９】
折り曲げ部７７ａは、この台形の上底部分に形成されており、第１の平板３上の開放された面より内方側に位置している。
【０２１０】
スリット７９ａ及び７９ｂは、この台形の斜辺の位置、すなわち、折り曲げ部７７ａの端部から開放された面を構成する辺の端部９０ａ及び９０ｂへと向かう直線上に形成されている。ただし、スリット７９ａ及び７９ｂは、端部９０ａ及び９０ｂを含まない位置及び長さとなるように形成されている。
【０２１１】
収納時には、第１２の実施の形態と同様に、第１領域７５ａの折り曲げ部７７ａ近傍を内方へと押し込むと、第１領域７５ａと第２領域７６ａとは折り曲げ部７７ａで谷折り状態となるため、端部９０ａ及び９０ｂを支点として第２領域７６ａの先端部分及び延長片７８ａが開放された面より外方へと移動することとなる。
【０２１２】
したがって、この実施の形態においても、第１２の実施の形態と同様の効果を発揮する。更に、この実施の形態においては、第１領域７５ａと第２領域７６ａとを区画する線分の拘束がスリット７９ａ及び７９ｂによって緩和されるため、谷折り状態への変形が容易となり、使い勝手が向上する。
【０２１３】
図２７は、この発明の第１４の実施の形態による収納容器を示した斜視図である。また、図２８は、図２７で示したＸＸＶＩＩＩ−ＸＸＶＩＩＩラインの断面図であり、その（１）は収納容器の変形前の状態を示し、その（２）は変形後の状態を示す。また、図２９は、図２７で示した収納容器の正面図であり、その（１）は収納容器の変形前の状態を示し、その（２）は変形後の状態を示す。
【０２１４】
図２７を参照して、収納容器１の基本的な構成は図２１で示した第１２の実施の形態と同様であるが、第１の平板３及び第２の平板４が開放された面より外方側に突出しないように形成されている点が異なっている。
【０２１５】
図２８の（１）を参照して、収納容器１の変形前には、第１領域７５ａと第２領域７６ａとは、同一平面内で第１の平板３を構成している。収納容器１の使用時に、第１領域７５ａの折り曲げ部７７ａ付近を内方へと押し込むと、図２８の（２）に示すように、第１領域７５ａと第２領域７６ａとは、円弧状の折り曲げ部７７ａにおいて谷折り状態へと変形する。このとき、折り曲げ部７７ａの端部９０ａ及び９０ｂは、第１の側板７及び第２の側板８により第１の平板３に直交する方向への移動が阻止されているため、端部９０ａ及び９０ｂを支点として、第２領域７６ａの開放された面を構成する辺の部分が、開放された面より外方へと移動する。
【０２１６】
図２９の（１）を参照して、収納容器１を正面から見ると、変形前においては、第２領域７６ａ及び７６ｂは第１領域７５ａ及び７５ｂと同一面を構成して、互いにほぼ平行に位置している。第１領域７５ａ及び７５ｂを両側から内方へと押し込むと、折り曲げ部７７ａ及び７７ｂは内方へと移動する。そして、第２領域７６ａ及び７６ｂは、それぞれ変形しつつ開放された面の外方へと移動する。したがって、変形前の状態と比べて開放された面に対する許容範囲が拡大するため、収納しやすくなる。
【０２１７】
図３０は、この発明の第１５の実施の形態による収納容器を示した斜視図である。
【０２１８】
図を参照して、収納容器１の基本的な構成は従来例と同様であるが、第１の側板７及び第２の側板８を介して、支持部材８５が取り付けられている点が異なっている。
【０２１９】
ガイド手段となる支持部材８５は、針金等の棒状体によりコ字形状に形成されており、軸方向がほぼ平行になるように配置された一対の水平部８７ａ及び８７ｂと、水平部８７ａ及び８７ｂと直交する向きにこれらの端部に接続された垂直部８６とから構成される。垂直部８６は、その長さが第１の側板７と第２の側板８の内方面同士の間隔とほぼ同じ大きさに設定され、第１の平板３及び第２の平板４の端縁８８ａ及び８８ｂの各々に対して平行となるように配置されている。水平部８７ａ及び８７ｂは、その一部が第１の側板７及び第２の側板８のそれぞれの内方面に沿うように配置されている。そして、水平部８７ａ及び８７ｂの内方側の端部の各々は、垂直部８６と平行かつ反対方向となるように折り曲げられ、第１の平板７及び第２の平板８に垂直な方向の同一軸内に形成された小孔３４ａ及び３４ｂを中心に回動自在に取り付けられている。
【０２２０】
このように構成されているため、垂直部８６は、小孔３４ａ及び３４ｂを含む軸を中心に、水平部８７ａ及び８７ｂが第１の平板３の内方面と当接した状態（二点鎖線の位置）と、第２の平板４の内方面に当接した状態（実線の位置）との間を移動自在である。
【０２２１】
図３１は、図３０で示した収納容器に被収納体を収納する過程を示した側面図である。
【０２２２】
図を参照して、収納時に、第１の平板３及び第２の平板４がほぼ水平となるように収納容器１を保持すると、垂直部８６はその自重によって最下方まで移動する。このとき、水平部８７ａ及び８７ｂは、第２の平板４の端縁８８ｂ部分と当接し、垂直部８６が第２の平板４の内方面を含む平面に沿った状態となる。そして、被収納体２０の下面２２の前方部分を垂直部８６の上方端部に接するように配置すると、被収納体の前面２５の下端部分は、第２の平板４の内方面を含む平面にほぼ沿った状態となり、開放された面に対して、被収納体２０の第１の平板３に直交する方向の位置がほぼ定まることになる。
【０２２３】
したがって、収納時に被収納体の位置合わせを迅速に行うことが可能となる。また、垂直部８６は第１の平板３の端縁８８ａと平行な位置へと移動自在であるため、一対の平板のいずれの面が下方に位置しているかを意識する必要がなく、収納容器の使い勝手が向上する。また、支持部材８５の移動範囲は開放された面により規定されるため、支持部材８５の移動範囲を規定するための他の手段を設ける必要がなく、収納容器の構造がシンプルなものとなる。
【０２２４】
尚、上記の第７から第１５の各実施の形態では、直方体箱形形状の収納容器として説明したが、単に容器のみならず、この構造が組み込まれた収納体等を広く含むものである。
【０２２５】
また、上記の第７から第１５の各実施の形態では、被収納体を直方体形状のものとして説明したが、必ずしも直方体である必要はなく、直方体以外でも、直方体箱形形状に収納しうる形状であれば良い。
【０２２６】
更に、上記の第7から第１５の各実施の形態では、ガイド板あるいは平板に、被収納体を収納容器から取り出しやすくするための切欠を構成しても良い。
【０２２７】
更に、上記の第７から第１５の各実施の形態では、被収納体が完全に収納された状態において、被収納体を支持するための背板が含まれているが、必ずしも必要ではなく、収納容器の対向する二面が共に開放されていても良い。また、対向する二面が共に開放されている場合、収納容器内部に被収納体の進行を停止するために、突起等の進行停止機能を有する手段を構成しても良い。
【０２２８】
更に、上記の第７から第１４の各実施の形態では、収納容器の使用状況について、収納容器をほぼ水平に保持した状態で説明したが、必ずしも水平に保持する必要はなく、ガイド板の一部若しくは平板の一部若しくは支持手段の一部が一対の平板の内方面を含む平面より外方に位置することができれば、収納時に同等の効果を発揮しうる。
【０２２９】
更に、上記の第７から第１１の各実施の形態では、ガイド板は両方の平板に対して取り付けられているが、必ずしもガイド板が２枚である必要はなく、１枚のガイド板がいずれか一方の平板にのみ取り付けられていても良い。
【０２３０】
更に、上記の第７から第１１の各実施の形態では、ガイド板の突起部の移動範囲を限定するために、第１の側板及び第２の側板に開口を形成しているが、開口を形成する代わりに内部にストッパー等を取り付けて、ガイド板の突起部の移動可能範囲を限定しても良い。
【０２３１】
更に、上記の第７から第１１の各実施の形態では、開口や移動阻止手段を特定の形状としているが、ガイド板の一部がガイド板に沿う平板の内方面を含む平面より外方に位置するように傾斜することができる限り、これらの開口や移動阻止手段を他の形状や他の位置に形成しても良い。
【０２３２】
更に、上記の第１２から第１４の各実施の形態では、一対の平板の両方が二つの領域に区画されているが、必ずしも両方の平板をこのように構成する必要はなく、いずれか一方の平板のみを二つの領域に区画し、一方の平板のみが谷折り状態となるように構成しても良い。
【０２３３】
更に、上記の第１２及び第１４の各実施の形態では、一対の平板を円弧状の折り曲げ部により区画しているが、開放された面を構成する辺の両端を始点と終点とする線分であれば、他の曲線や直線又はこれらを複合したもので構成しても良い。
【０２３４】
更に、上記の第１０の実施の形態では、平板の開放された面を構成する辺に形成された切欠を矩形形状とすると共にガイド板を内方に延長しているが、必ずしもこのように構成する必要はなく、平板の開放された面を構成する辺の両端を除いて何らかの切欠が形成され、その切欠かれた部分の一部に、例えば突起を形成する等、何らかの方法でガイド板の一部と重なり合うように構成されていれば良い。
【０２３５】
更に、上記の第１３の実施の形態では、スリットを直線状に形成しているが、直線に限らず、円弧状などの曲線として形成しても良い。
【０２３６】
更に、上記の第１３の実施の形態では、スリットは２本形成されているが、必ずしも２本である必要はなく、１本以上であれば良い。
【０２３７】
更に、上記の第１５の実施の形態では、第１の平板３及び第２の平板４を水平に保持した場合に支持部材が自重で下方に移動するように構成されているが、必ずしもこのように構成する必要はなく、支持部材を手動で移動するように構成しても良い。この場合でも、支持部材の垂直部が、一対の平面の内方面を含む平面に沿うことができる限り、同様に位置合わせを迅速にする効果を発揮する。
【０２３８】
更に、上記の第１５の実施の形態では、ガイド手段である支持部材は内方と外方とを結ぶ方向の移動は阻止されているが、実施の形態の位置から内方へと移動できるように構成すれば、収納時に支持部材が内方へと格納され、収納状態がすっきりする。
【０２３９】
更に、上記の第１５の実施の形態では、支持部材の水平部の各々は、一対の側板の内方面側に沿うように取り付けられているが、これらを外方面側に沿うように取り付けても良い。
【０２４０】
更に、上記の第１５の実施の形態では、支持部材は垂直部が一対の平板と平行に１つだけ取り付けられているが、一対の側板と平行となるように更に取り付けて、一対の側板と直交する方向の位置合わせも容易となるように構成しても良い。
【０２４１】
更に、上記の第１１の実施の形態においては、平板の各々と、ガイド板の各々とをそれぞれ分離して形成し、開放面を構成する辺で折り曲げ自在となるように別個のジョイント材等を用いて接続しても良い。一方、平板とガイド板とを一体的に構成して、開放面を構成する辺で折り曲げ自在となるように構成しても良い。
【０２４２】
更に、上記の第１２から第１４の各実施の形態では、第１領域及び第２領域を一体的に形成しているが、これらを分離して形成し、折り曲げ部において谷折りに折り曲げ自在となるように別個のジョイント材等を用いて接続しても良い。
【０２４３】
図３２は、この発明の第１６の実施の形態による収納容器を示した斜視図である。また、図３３は、図３２で示したＸＸＸＩＩＩ−ＸＸＸＩＩＩラインの断面図であって、その（１）は収納容器の変形前の状態を示し、その（２）は変形後の状態を示したものである。
【０２４４】
まず、図３２を参照して、収納容器１は、第１の平板３、第２の平板４、第１の側板７、第２の側板８及び背板１６とから、一面が開放された箱形形状に構成されている点は、図１１で示した従来例と同様である。
【０２４５】
この実施の形態による収納容器１では更に、第１の平板３及び第２の平板４の各々に開放面から外方側に延びるように延長片７８ａ及び７８ｂが接続されている。また、平板３上には、開放面を構成する辺の両端である端部９０ａ及び９０ｂをそれぞれ始点、終点とし、開放面より内方側に凹んだ円弧形状となるように、複数の開口４４が所定間隔をもって連続して形成されている。このように複数の開口４４が形成されていることにより、第１の平板３は複数の開口４４の近傍部分が内方へと撓み自在となる。尚、第２の平板４についても第１の平板３と同様に複数の開口が形成され、第１の平板３と第２の平板４とが対称に構成されている。
【０２４６】
収納容器１の使用時には、図３３の（１）に示すように、開口４４の近傍を矢印の方向へと押圧する。すると、開口４４の近傍が内方へと撓むため、第１の平板３の開口４４より前方側部分が、端部９０ａ及び９０ｂを支点として変形し、図３２の二点鎖線で示した位置及び図３３の（２）に示すように第１の平板３の外方面側へと開いた状態となる。したがって、第１の平板３に直交する方向の開放面の被収納体に対する許容範囲が拡大するため、被収納体の位置合わせが容易となる。また、第１の平板３における開放面を構成する辺には延長片７８ａが接続されているため、第１の平板３の開口４４より前方側部分の変形に従って、延長片７８ａもまたその先端が第１の平板３の外方面側に開いた状態となる。このため、第１の平板３に直交する方向の被収納体に対する実質的な許容範囲が更に拡大し、位置合わせが更に容易となる。尚、上述したように、第２の平板４及び延長片７８ｂは、第１の平板３及び延長片７８ａと対称に構成されているため、同様に変形して被収納体に対する位置決め機能を発揮する。
【０２４７】
図３４は、この発明の第１７の実施の形態による収納容器を示した斜視図であり、図３５は、この発明の第１７の実施の形態による収納容器を示した平面図である。
【０２４８】
これらの図を参照して、この実施の形態による収納容器１の基本的な構成は、図１１で示した従来例と同様に一面が開放された箱形形状に構成されている。
【０２４９】
この実施の形態による収納容器１には更に、第１の平板３の開放面を構成する辺に、開放面から外方側に延びるように延長片７８ａが接続されている。また、第１の平板３及び延長片７８ａ上には、第１の平板３の外方面から見て谷折り状態に折り曲げ自在な折り曲げ線７７ａが形成され、第１の平板３と延長片７８ａとで構成される平面が、外方側の第１領域７５ａと内方側の第２領域７６ａとに区画されている。折り曲げ線７７ａは、延長片７８ａにおける開放面に平行な面と交差する一対の端縁４５ａ及び４５ｂ上の点４６ａ及び４６ｂを始点、終点とする円弧状に形成されており、その最も背板１６側に凹んだ部分の位置は、開放面を構成する面よりも背板１６側となるように設定されている。
【０２５０】
尚、第２の平板４についても第１の平板３と対称となるように構成されている。すなわち、第２の平板４の開放面を構成する辺に延長片７８ｂが接続されると共に、折り曲げ線７７ａと同様の折り曲げ線７７ｂによって、第２の平板４と延長片７８ｂとで構成される平面が第１領域７５ｂと第２領域７６ｂとに区画されている。
【０２５１】
収納容器１の使用時には、折り曲げ線７７ａ及び７７ｂの近傍を内方側へと押圧すると、第１領域７５ａ及び７５ｂの各々が折り曲げ線７７ａ及び７７ｂの両端部分を支点として変形し、図３４の二点鎖線で示した位置へと開いた状態となる。したがって、収納容器１を開放面側から見ると、延長片７８ａ及び７８ｂの間隔が拡がって、被収納体に対する第１の平板３と直交する方向の許容範囲が拡大することとなり、被収納体の同方向の位置合わせがしやすくなる。
【０２５２】
図３６は、この発明の第１８の実施の形態による収納容器を示した斜視図であり、図３７は、図３６で示したＸＸＸＶＩＩ−ＸＸＸＶＩＩラインから見た図である。
【０２５３】
この実施の形態による収納容器１の基本的な構成は、図１１で示した従来例とほぼ同様であるが、第１の平板３及び第２の平板４に折り曲げ線７７ａ及び７７ｂが形成されている点が従来例とは大きく異なっている。
【０２５４】
第１の平板３に形成された折り曲げ線７７ａは、第１の平板３の開放面を構成する辺の中で両端を除く位置の点４６ａ及び４６ｂを始点、終点とする円弧状に形成され、第１の平板３の外方面から見て谷折りに折り曲げ自在となるように形成されている。そして、折り曲げ線７７ａによって、第１の平板３は外方側の第１領域７５ａと内方側の第２領域７６ａとに区画されている。
【０２５５】
尚、第２の平板４についても同様に、その外方面から見て谷折り自在の折り曲げ線７７ｂが形成され、第２の平板４が第１領域７５ｂと第２領域７６ｂとに区画されている。
【０２５６】
収納容器１の使用時には、折り曲げ線７７ａ及び７７ｂの近傍を内方へ押し込むように押圧する。すると、第１領域７５ａ及び７５ｂはそれぞれ、折り曲げ線７７ａ及び７７ｂの両端部分を支点として変形し、図３５及び図３６の二点鎖線で示した位置へと開いた状態となる。したがって、収納容器１を開放面側から見ると、第１の平板３に直交する方向の許容範囲が拡大し、被収納体の位置合わせが容易となる。
【０２５７】
図３８は、この発明の第１９の実施の形態による収納容器を示した斜視図であり、図３９は、この発明の第１９の実施の形態による収納容器を示した平面図である。
【０２５８】
これらの図を参照して、この実施の形態による収納容器１の基本的な構成は、図１１で示した従来例と同様であるが、その内部に平板状のガイド板１２を備えている点が従来例とは大きく異なっている。
【０２５９】
第１の平板３及び第２の平板４には、開放面を構成する辺を含む台形状の切欠７１ａ及び７１ｂが形成されている。
【０２６０】
矩形形状の平板からなるガイド板１２は、その一方面（下面）が第２の平板４の内方面に接した状態で配置されている。ガイド板１２の幅方向の寸法は、第１の側板７と第２の側板８の各々の内方面同志の間隔とほぼ等しく設定されている。一方、ガイド板１２の奥行き方向の寸法は、第１の平板３と直交する方向における切欠７１ａ及び７１ｂの射影の少なくとも一部と重なり合う大きさに設定されている。また、ガイド板１２は、第１の平板３の内方面とその他方面（上面）とが接する位置まで、第１の平板３と直交する方向に移動自在となるように取付けられている。
【０２６１】
ここで、収納容器１に、例えば図３８及び図３９に示したような、収納方向の先端部２７が平面視における円弧形状を有する被収納体２０を収納する過程について説明する。まず、被収納体２０と収納容器１とをほぼ平行に保持した後、被収納体２０の先端部２７の一部の射影と、ガイド板１２の切欠７１ａから露出した部分とが重なり合うように配置する。次に、被収納体２０と収納容器１とを平板３と直交する方向に接近させて、被収納体２０の先端部２７とガイド板１２とが接した状態とする。そして、被収納体２０の背面２６を収納容器１の内方側へと押し込むことにより収納が完了する。
【０２６２】
この収納の過程では、被収納体２０の先端部２７の一部とガイド板１２の一部とを当接させることにより、収納容器１の第２の平板４の内方面に対する被収納体２０の位置が規定されるため、収納時の位置合わせが容易となり、収納操作がしやすくなる。また、ガイド板１２は、上述したように、第１の平板３の内方面と接する位置まで移動することが可能であるため、例えば収納容器１を図３８で示したものとは天地を逆にして第１の平板３が下方となるように配置しても、同様に位置決め機能を発揮する。よって、収納容器１の配置にかかわらず、被収納体の収納操作がしやすくなる。
【０２６３】
尚、上記の第１６の実施の形態では、平板に複数の開口が形成されているが、必ずしも複数である必要はなく、少なくとも一つの開口が形成されていればよい。
【０２６４】
また、上記の第１６の実施の形態では、一対の平板の各々に開口が形成されているが、必ずしもこのように構成する必要はなく、いずれか一方の平板のみに開口を形成しても良い。
【０２６５】
更に、上記の第１６の実施の形態では、複数の開口が円弧状に連続して形成されているが、必ずしも円弧状である必要はなく、直線や曲線の組み合わせによる他の形状に配置しても良い。
【０２６６】
更に、上記の第１６の実施の形態では、複数の開口を、平板の開放面を構成する辺の両端部を始点、終点とする円弧状となるように配置しているが、必ずしもこのように構成する必要はなく、他の曲線や直線またはこれらの複合による形状に配置しても良い。また、複数の開口が連続して構成される列の端部は、開放面を構成する辺の両端部以外でも良い。
【０２６７】
更に、上記の第１６の実施の形態では、平板の開放面を構成する辺の両端を始点、終点とし、開口に接続する線分で、外方面から見て谷折り自在となるように形成しても良い。
【０２６８】
更に、上記の第１６の実施の形態では、一対の平板の各々には延長片が接続されているが、必ずしもこのように構成する必要はなく、延長片はなくても良い。延長片がない場合でも、平板に直交する方向の開放面の許容範囲が拡大するため、同様に被収納体の位置合わせがしやすくなる。
【０２６９】
更に、上記の第１６の実施の形態では、開口の形状を丸孔とした例を示したが、必ずしもこのように構成する必要はなく、開口を他の形状に構成しても良い。
【０２７０】
更に、上記の第１６の実施の形態では、延長片には何も形成していないが、収納された被収納体を掴みやすくするための切欠を形成しても良い。
【０２７１】
更に、上記の第１６の実施の形態では、平板上の開口は全て同一形状に形成されているが、必ずしもこのように構成する必要はなく、異なる形状の開口を複数組み合わせて構成しても良い。
【０２７２】
更に、上記の第１６の実施の形態では、平板上の開口は、ほぼ等間隔に配置されているが、必ずしもこのように構成する必要はなく、部分により開口同志の間隔が異なるように構成しても良い。
【０２７３】
更に、上記の第１７の実施の形態では、折り曲げ線を平板と延長片とで構成される平面の各々に形成しているが、必ずしもこのように構成する必要はなく、いずれか一方の平面にのみ折り曲げ線を形成しても良い。
【０２７４】
更に、上記の第１７の実施の形態では、折り曲げ線を円弧形状に形成しているが、延長片における開放面と平行な面と交差する端縁上の点を始点、終点とし、その一部が開放面より内方側に位置していれば、他の曲線や直線またはこれらの複合により構成しても良い。
【０２７５】
更に、上記の第１７の実施の形態では、延長片には何も形成していないが、収納された被収納体を掴みやすくするための切欠を形成しても良い。
【０２７６】
更に、上記の第１７の実施の形態においては、折り曲げ部の代わりに、第１６の実施の形態のように少なくとも一つの開口を形成して平板を撓みやすく構成することも可能である。
【０２７７】
更に、上記の第１８の実施の形態では、折り曲げ線は一対の平板の各々に形成されているが、必ずしもこのように構成する必要はなく、いずれか一方の平面にのみ折り曲げ線を形成しても良い。
【０２７８】
更に、上記の第１８の実施の形態では、折り曲げ線は円弧形状に形成されているが、開放面を構成する辺上で両端を除いた部分を始点、終点とする線分であれば、他の曲線や直線またはこれらの複合により構成しても良い。
【０２７９】
更に、上記の第１８の実施の形態では、平板には何も形成されていないが、収納された被収納体を掴みやすくするための切欠を形成しても良い。
【０２８０】
更に、上記の第１７及び第１８の各実施の形態では、第１領域及び第２領域を一体的に形成しているが、これらを分離して形成し、折り曲げ部において谷折りに折り曲げ自在となるように別個のジョイント材等を用いて接続しても良い。
【０２８１】
更に、上記の第１９の実施の形態では、一対の平板の各々に切欠が形成されているが、必ずしもこのように構成する必要はなく、いずれか一方の平板にのみ切欠を形成しても良い。
【０２８２】
更に、上記の第１９の実施の形態では、切欠の形状は、平板の開放面を構成する辺の両端を除く位置に台形状となるように形成されているが、必ずしもこのような形状に限られるものではなく、開放面を構成する辺の少なくとも一部を含む切欠であれば、他の位置や形状に形成しても良い。
【０２８３】
更に、上記の第１９の実施の形態では、ガイド板の外方側の端縁が開放面より内方側に配置されるように設定されているが、平板に直交する方向における平板の切欠の射影の少なくとも一部とガイド板とが重なり合うことができれば、ガイド板の外方側の端縁が開放面の位置と一致したり、あるいは開放面より外方となるように、ガイド板の寸法や配置を設定しても良い。また、ガイド板の幅方向についても、必ずしも一対の側板の内方面同志とほぼ等しく形成する必要はなく、同様に平板の切欠の射影の少なくとも一部と重なり合うことができれば、幅方向の寸法や配置を任意に設定しても良い。
【０２８４】
更に、上記の第１９の実施の形態では、ガイド板には何も形成していないが、これに収納された被収納体を掴みやすくするための切欠を形成しても良い。
【０２８５】
更に、上記の第１９の実施の形態では、一対の平板の各々に同一形状の切欠を形成しているが、必ずしもこのように構成する必要はなく、平板の各々で異なる形状の切欠を形成しても良い。
【０２８６】
更に、上記の第１９の実施の形態では、ガイド板の奥行き方向の長さを、開放面から背板の内方面までの間隔とほぼ等しくなるように設定しているが、必ずしもこのように構成する必要はなく、ガイド板の奥行き方向の寸法は開放面から背板の内方面までの間隔より小さく設定しておいて、平板の切欠の射影の少なくとも一部と重なることができる位置にガイド板を配置するように構成しても良い。
【０２８７】
更に、上記の第１、第２及び第５の各実施の形態においては、ガイド板を収納本体へ完全に格納した際に、ガイド板の外方側の端縁が開放面より外方に位置するように構成しても良い。このように構成すると、ガイド板を外方に引き出すとガイド板の露出部分が更に拡大するため、被収納体の位置合わせの許容範囲がより大きくなり、収納がしやすくなる。このとき、ガイド板の格納時における露出部分の大きさは、任意に設定すれば良いが、特に、ガイド板の格納時における外方側の端縁の位置が、収納時における被収納体の外方側の端部と一致するか、または、その端部と開放面との間に位置するように設定しておけば、収納時の見た目もすっきりした状態となる。
【０２８８】
更に、上記の第６の実施の形態においては、ガイド板を収納本体へ完全に格納した際に、ガイド板の外方側の端縁が一対の側板の先端より外方側に位置するように、ガイド板の寸法や位置を設定しても良い。このように構成すると、ガイド板を外方に引き出すと、ガイド板の露出部分が更に拡大するため、被収納体の位置合わせの許容範囲がより大きくなり、収納がしやすくなる。このとき、ガイド板の格納時における露出部分の大きさは、任意に設定すれば良いが、特に、ガイド板の格納時における外方側の端縁の位置が、収納時における被収納体の外方側の端部と一致するか、または、その端部と開放面との間に位置するように設定しておけば、収納時の見た目もすっきりした状態となる。
【図面の簡単な説明】
【０２８９】
【図１】この発明の第１の実施の形態による収納容器の使用状態を示した斜視図である。
【図２】この発明の第１の実施の形態による収納容器に被収納体を収納する過程を示した図である。
【図３】この発明の第２の実施の形態による収納容器を示した斜視図である。
【図４】この発明の第２の実施の形態による収納容器において、ガイド板に支持手段を付加した他の例を示した図である。
【図５】この発明の第３の実施の形態による収納容器の斜視図である。
【図６】この発明の第３の実施の形態による収納容器に被収納体を収納する過程を示した側面図である。
【図７】この発明の第４の実施の形態による収納容器を示した斜視図である。
【図８】この発明の第４の実施の形態による収納容器に被収納体を収納した状態を示した側面図である。
【図９】この発明の第５の実施の形態による収納容器の斜視図である。
【図１０】この発明の第６の実施の形態による収納容器を示した斜視図である。
【図１１】従来の収納容器の使用状態を示した斜視図である。
【図１２】この発明の第７の実施の形態による収納容器を示した斜視図である。
【図１３】図１２で示した収納容器に被収納体を収納する過程を示した側面図である。
【図１４】この発明の第８の実施の形態による収納容器を示した斜視図である。
【図１５】図１４で示した収納容器に被収納体を収納する過程を示した側面図である。
【図１６】この発明の第９の実施の形態による収納容器を示した斜視図である。
【図１７】図１６で示した収納容器の側面図である。
【図１８】この発明の第１０の実施の形態による収納容器を示した斜視図である。
【図１９】図１８で示した収納容器の側面図である。
【図２０】この発明の第１１の実施の形態による収納容器を示した斜視図である。
【図２１】この発明の第１２の実施の形態による収納容器を示した斜視図である。
【図２２】図２１で示した収納容器の側面図である。
【図２３】図２１で示したＸＸＩＩＩ−ＸＸＩＩＩラインの断面図であり、その（１）は収納容器の変形前の状態を示し、その（２）は変形後の状態を示す。
【図２４】図２１で示した収納容器の正面図である。
【図２５】図２１で示した収納容器に被収納体を収納する過程を示した側面図である。
【図２６】この発明の第１３の実施の形態による収納容器を示した斜視図である。
【図２７】この発明の第１４の実施の形態による収納容器を示した斜視図である。
【図２８】図２７で示したＸＸＶＩＩＩ−ＸＸＶＩＩＩラインの断面図であり、その（１）は収納容器の変形前の状態を示し、その（２）は変形後の状態を示す。
【図２９】図２７で示した収納容器の正面図であり、その（１）は収納容器の変形前の状態を示し、その（２）は変形後の状態を示す。
【図３０】この発明の第１５の実施の形態による収納容器を示した斜視図である。
【図３１】図３０で示した収納容器に被収納体を収納する過程を示した側面図である。
【図３２】この発明の第１６の実施の形態による収納容器を示した斜視図である。
【図３３】図３２で示したＸＸＸＩＩＩ−ＸＸＸＩＩＩラインの断面図であって、その（１）は収納容器の変形前の状態を示し、その（２）は変形後の状態を示したものである。
【図３４】この発明の第１７の実施の形態による収納容器を示した斜視図である。
【図３５】この発明の第１７の実施の形態による収納容器を示した平面図である。
【図３６】この発明の第１８の実施の形態による収納容器を示した斜視図である。
【図３７】図３６で示したＸＸＸＶＩＩ−ＸＸＸＶＩＩラインから見た図である。
【図３８】この発明の第１９の実施の形態による収納容器を示した斜視図である。
【図３９】この発明の第１９の実施の形態による収納容器を示した平面図である。
【符号の説明】
【０２９０】
１…収納容器
３…第１の平板
４…第２の平板
７…第１の側板
８…第２の側板
９…第１のストッパー
１０…第２のストッパー
１２…ガイド板
１４…突起部
１６…背板
１７…開口部
３３…支持棒
３４、３５…小孔
６１…第１ガイド板
６２、６５…突起部
６４…第２ガイド板
６７…突出部
６８、６９、７０…開口
７１、７２、７３…切欠
７５…第１領域
７６…第２領域
７７…折り曲げ部
７８…延長片
７９、８０…スリット
８５…支持部材
８６…垂直部
８７…水平部
８８…端縁
９０…端部
２７…先端部
４４…開口
４５…端縁
４６…点
尚、各図中同一符号は同一又は相当部分を示す。
【図１】
2004307060.tif 000003
【図２】
2004307060.tif 000004
【図３】
2004307060.tif 000005
【図４】
2004307060.tif 000006
【図５】
2004307060.tif 000007
【図６】
2004307060.tif 000008
【図７】
2004307060.tif 000009
【図８】
2004307060.tif 000010
【図９】
2004307060.tif 000011
【図１０】
2004307060.tif 000012
【図１１】
2004307060.tif 000013
【図１２】
2004307060.tif 000014
【図１３】
2004307060.tif 000015
【図１４】
2004307060.tif 000016
【図１５】
2004307060.tif 000017
【図１６】
2004307060.tif 000018
【図１７】
2004307060.tif 000019
【図１８】
2004307060.tif 000020
【図１９】
2004307060.tif 000021
【図２０】
2004307060.tif 000022
【図２１】
2004307060.tif 000023
【図２２】
2004307060.tif 000024
【図２３】
2004307060.tif 000025
【図２４】
2004307060.tif 000026
【図２５】
2004307060.tif 000027
【図２６】
2004307060.tif 000028
【図２７】
2004307060.tif 000029
【図２８】
2004307060.tif 000030
【図２９】
2004307060.tif 000031
【図３０】
2004307060.tif 000032
【図３１】
2004307060.tif 000033
【図３２】
2004307060.tif 000034
【図３３】
2004307060.tif 000035
【図３４】
2004307060.tif 000036
【図３５】
2004307060.tif 000037
【図３６】
2004307060.tif 000038
【図３７】
2004307060.tif 000039
【図３８】
2004307060.tif 000040
【図３９】
2004307060.tif 000041